(57)【要約】  本開示は、フライト通知方法、フライト設定方法、装置、プログラムおよび記録媒体に関する。当該フライト通知方法は、ユーザのフライトと少なくとも１つのユーザの連絡人とを含むフライト設定情報を受信するステップと、航空サーバで提供される、前記ユーザのフライトに対応するフライト情報をモニタリングするステップと、前記ユーザのフライトが変更されたことを前記フライト情報が示すとき、前記フライト情報における変更情報に基づいて、前記変更情報を含むフライト変更通知を生成するステップと、前記フライト変更通知を前記少なくとも１つのユーザの連絡人へ送信するステップと、を含む。本開示によれば、ユーザのフライトが変更されたとき、ユーザの連絡人へフライト変更通知を自発的に送信することができるため、ユーザ体験が向上する。【選択図】図１
2017527933.tif 000002
【特許請求の範囲】
【請求項１】
ユーザのフライトと少なくとも１つのユーザの連絡人とを含むフライト設定情報を受信するステップと、
航空サーバで提供される、前記ユーザのフライトに対応するフライト情報をモニタリングするステップと、
前記ユーザのフライトが変更されたことを前記フライト情報が示すとき、前記フライト情報における変更情報に基づいて、前記変更情報を含むフライト変更通知を生成するステップと、
前記フライト変更通知を前記少なくとも１つのユーザの連絡人へ送信するステップと、を含むことを特徴とするフライト通知方法。
【請求項２】
前記フライト設定情報は、プレースホルダーをさらに含み、
前記フライト情報における変更情報に基づいて、フライト変更通知を生成するステップは、前記フライト情報における変更情報に応じて、前記フライト設定情報における前記プレースホルダーに書き込んで前記フライト変更通知を生成するステップを含むことを特徴とする請求項１に記載のフライト通知方法。
【請求項３】
前記ユーザのフライトが変更されたことを前記フライト情報が示すとき、前記フライト情報における変更情報に基づいて、フライト変更通知を生成するステップは、
前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するステップ、または、
前記ユーザのフライトに故障が起きたことを前記フライト情報が示すとき、前記フライト情報における故障情報に基づいて、前記故障情報を含むフライト変更通知を生成するステップ、または、
前記ユーザのフライトが所定の空港以外の空港に降下する必要があることを前記フライト情報が示すとき、前記フライト情報における空港変更情報に基づいて、降下空港名と降下時間とを含むフライト変更通知を生成するステップを含むことを特徴とする請求項１に記載のフライト通知方法。
【請求項４】
前記フライト変更通知を前記少なくとも１つのユーザの連絡人へ送信する方式は、
ＳＭＳの方式で前記フライト変更通知を前記少なくとも１つのユーザの連絡人へ送信する送信方式と、電子メールの方式で前記フライト変更通知を前記少なくとも１つのユーザの連絡人へ送信する送信方式と、インスタントメッセンジャソフトウェアで前記フライト変更通知を前記少なくとも１つのユーザの連絡人へ送信する送信方式と、のうちの少なくとも１つをさらに含むことを特徴とする請求項１に記載のフライト通知方法。
【請求項５】
前記ユーザのフライトが変更されていないことを前記フライト情報が示すとき、前記フライト設定情報を削除するステップをさらに含むことを特徴とする請求項１に記載のフライト通知方法。
【請求項６】
ユーザのフライトと少なくとも１つのユーザの連絡人とを含むフライト設定情報が受信されたか否かを判断するステップと、
ユーザサーバが航空サーバで提供される前記ユーザのフライトに対応するフライト情報をモニタリングするように、前記フライト設定情報が受信されたとき、前記フライト設定情報をユーザサーバへ送信するステップと、を含むことを特徴とするフライト設定方法。
【請求項７】
前記フライト設定情報が受信されたか否かを判断するステップは、
フライト変更通知に対する設定指令が受信されたか否かを判断するステップと、
フライト変更通知に対する設定指令が受信されたとき、前記設定指令に基づいて、少なくとも１つのフライト変更通知テンプレートを取得するステップと、
前記少なくとも１つのフライト変更通知テンプレートのうちの１つのフライト変更通知テンプレートに対する編集指令を受信し、前記編集指令に基づいて、前記フライト設定情報を生成するステップと、を含むことを特徴とする請求項６に記載のフライト設定方法。
【請求項８】
前記フライト変更通知テンプレートは、前記ユーザのフライトに対応するフライト情報が書き込まれるための予約プレースホルダーを含むことを特徴とする請求項７に記載のフライト設定方法。
【請求項９】
前記フライト設定情報をユーザサーバへ送信する方式は、ＳＭＳの方式で前記フライト設定情報をユーザサーバへ送信する送信方式と、電子メールの方式で前記フライト設定情報をユーザサーバへ送信する送信方式と、インスタントメッセンジャソフトウェアで前記フライト設定情報をユーザサーバへ送信する送信方式と、のうちの少なくとも１つを含むことを特徴とする請求項６に記載のフライト設定方法。
【請求項１０】
ユーザのフライトと少なくとも１つのユーザの連絡人とを含むフライト設定情報を受信するための受信モジュールと、
航空サーバで提供される、前記ユーザのフライトに対応するフライト情報をモニタリングするためのモニタリングモジュールと、
前記ユーザのフライトが変更されたことを前記フライト情報が示すとき、前記フライト情報における変更情報に基づいて、前記変更情報を含むフライト変更通知を生成するための変更通知生成モジュールと、
前記フライト変更通知を前記少なくとも１つのユーザの連絡人へ送信するための送信モジュールと、を備えることを特徴とするフライト通知装置。
【請求項１１】
前記フライト設定情報は、プレースホルダーをさらに含み、
前記変更通知生成モジュールは、前記フライト情報における変更情報に応じて、前記フライト設定情報における前記プレースホルダーに書き込んで前記フライト変更通知を生成するための書込サブモジュールを有することを特徴とする請求項１０に記載のフライト通知装置。
【請求項１２】
前記変更通知生成モジュールは、
前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するための第１の変更通知生成サブモジュール、または、
前記ユーザのフライトに故障が起きたことを前記フライト情報が示すとき、前記フライト情報における故障情報に基づいて、前記故障情報を含むフライト変更通知を生成するための第２の変更通知生成サブモジュール、または、
前記ユーザのフライトが所定の空港以外の空港に降下する必要があることを前記フライト情報が示すとき、前記フライト情報における空港変更情報に基づいて、降下空港名と降下時間とを含むフライト変更通知を生成するための第３の変更通知生成サブモジュールを有することを特徴とする請求項１０に記載のフライト通知装置。
【請求項１３】
前記送信モジュールの送信方式は、ＳＭＳの方式で前記フライト変更通知を前記少なくとも１つのユーザの連絡人へ送信する送信方式と、電子メールの方式で向前記フライト変更通知を前記少なくとも１つのユーザの連絡人へ送信する送信方式と、インスタントメッセンジャの方式で前記フライト変更通知を前記少なくとも１つのユーザの連絡人へ送信する送信方式と、のうちの少なくとも１つを含むことを特徴とする請求項１０に記載のフライト通知装置。
【請求項１４】
前記ユーザのフライトが変更されていないことを前記フライト情報が示すとき、前記フライト設定情報を削除するための削除モジュールをさらに備えることを特徴とする請求項１０に記載のフライト通知装置。
【請求項１５】
ユーザのフライトと少なくとも１つのユーザの連絡人とを含むフライト設定情報が受信されたか否かを判断するための判断モジュールと、
ユーザサーバが航空サーバで提供される前記ユーザのフライトに対応するフライト情報をモニタリングするように、前記フライト設定情報が受信されたとき、前記フライト設定情報をユーザサーバへ送信するための送信モジュールと、を備えることを特徴とするフライト設定装置。
【請求項１６】
前記判断モジュールは、
フライト変更通知に対する設定指令が受信されたか否かを判断するための判断サブモジュールと、
フライト変更通知に対する設定指令が受信されたとき、前記設定指令に基づいて、少なくとも１つのフライト変更通知テンプレートを取得するための取得サブモジュールと、
前記少なくとも１つのフライト変更通知テンプレートのうちの１つのフライト変更通知テンプレートに対する編集指令を受信し、前記編集指令に基づいて、前記フライト設定情報を生成するための設定情報生成サブモジュールと、を有することを特徴とする請求項１５に記載のフライト設定装置。
【請求項１７】
前記フライト変更通知テンプレートは、前記ユーザのフライトに対応するフライト情報が書き込まれるための予約プレースホルダーを含むことを特徴とする請求項１６に記載のフライト設定装置。
【請求項１８】
前記送信モジュールの送信方式は、ＳＭＳの方式で前記フライト設定情報をユーザサーバへ送信する送信方式と、電子メールの方式で前記フライト設定情報をユーザサーバへ送信する送信方式と、インスタントメッセンジャの方式で前記フライト設定情報をユーザサーバへ送信する送信方式と、のうちの少なくとも１つを含むことを特徴とする請求項１６に記載のフライト設定装置。
【請求項１９】
プロセッサと、
プロセッサが実行可能な指令を含むメモリと、を備え、
前記プロセッサは、
ユーザのフライトと少なくとも１つのユーザの連絡人とを含むフライト設定情報を受信し、
航空サーバで提供される、前記ユーザのフライトに対応するフライト情報をモニタリングし、
前記ユーザのフライトが変更されたことを前記フライト情報が示すとき、前記フライト情報における変更情報に基づいて、前記変更情報を含むフライト変更通知を生成し、
前記フライト変更通知を前記少なくとも１つのユーザの連絡人へ送信するように構成されることを特徴とするフライト通知装置。
【請求項２０】
プロセッサと、
プロセッサが実行可能な指令を含むメモリと、を備え、
前記プロセッサは、
ユーザのフライトと少なくとも１つのユーザの連絡人とを含むフライト設定情報が受信されたか否かを判断し、
ユーザサーバが航空サーバで提供される前記ユーザのフライトに対応するフライト情報をモニタリングするように、前記フライト設定情報が受信されたとき、前記フライト設定情報をユーザサーバへ送信するように構成されることを特徴とするフライト設定装置。
【発明の詳細な説明】
【相互参照】
【０００１】
本発明は、出願番号が２０１５１０４６３６３９.８であり、出願日が２０１５年０７月３１日である中国特許出願を基に提出するものであり、当該中国特許出願の優先権を主張し、当該中国特許出願の全ての内容は、参照のため本願に援用される。
【技術分野】
【０００２】
本開示は、ネットワーク通信技術分野に関し、特に、フライト通知方法、フライト設定方法および装置に関する。
【背景技術】
【０００３】
ネットワーク通信技術の継続的な発展に伴って、スマートフォンの応用も広くなっている。しかし、幾つかの特定の場合、例えば、飛行機内にいる場合、スマートフォンをパワーオフする必要があるため、ユーザのフライトが変更されると、ユーザは、ユーザの連絡人、例えば、空港まで迎えに来る人に直ちに知らせることができない。よって、ユーザのフライトが変更されたとき、ユーザの連絡人もユーザのフライトの変更情報を如何に取得できるかは、重要な課題となっている。関連技術では、ユーザの連絡人が、航空会社の開発したソフトウェアによって、ユーザのフライト情報を購読し、または、空港の大画面ディスプレイによってユーザのフライト情報を把握できるが、ユーザのフライトが変更され、且つユーザの連絡人が航空会社の開発したソフトウェアをダウンロードしていないあるいは空港へ大画面ディスプレイを見に行かない場合は、ユーザのフライトの変更情報を直ちに取得することができない。
【発明の概要】
【発明が解決しようとする課題】
【０００４】
本開示は、ユーザのフライトが変更されたとき、ユーザがユーザの連絡人に直ちに知らせることができず、ユーザの連絡人が変更情報を自ら取得せざるを得ないためユーザ体験の満足度が低下するという、従来技術の課題を解決するために、フライト通知方法、フライト設定方法および装置を提供する。
【課題を解決するための手段】
【０００５】
本開示の実施例の第１の態様によれば、フライト通知方法を提供する。前記方法は、ユーザのフライトと少なくとも１つのユーザの連絡人とを含むフライト設定情報を受信するステップと、航空サーバで提供される、前記ユーザのフライトに対応するフライト情報をモニタリングするステップと、前記ユーザのフライトが変更されたことを前記フライト情報が示すとき、前記フライト情報における変更情報に基づいて、前記変更情報を含むフライト変更通知を生成するステップと、前記フライト変更通知を前記少なくとも１つのユーザの連絡人へ送信するステップと、を含む。
【０００６】
好ましくは、前記フライト設定情報は、プレースホルダーをさらに含み、前記フライト情報における変更情報に基づいて、フライト変更通知を生成するステップは、前記フライト情報における変更情報に応じて、前記フライト設定情報における前記プレースホルダーに書き込んで前記フライト変更通知を生成するステップを含む。
【０００７】
好ましくは、前記ユーザのフライトが変更されたことを前記フライト情報が示すとき、前記フライト情報における変更情報に基づいて、フライト変更通知を生成するステップは、前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するステップ、または、前記ユーザのフライトに故障が起きたことを前記フライト情報が示すとき、前記フライト情報における故障情報に基づいて、前記故障情報を含むフライト変更通知を生成するステップ、または、前記ユーザのフライトが所定の空港以外の空港に降下する必要があることを前記フライト情報が示すとき、前記フライト情報における空港変更情報に基づいて、降下空港名と降下時間とを含むフライト変更通知を生成するステップを含む。
【０００８】
好ましくは、前記航空サーバで提供される、前記ユーザのフライトに対応するフライト情報をモニタリングするステップは、前記フライト設定情報に基づいて、前記航空サーバとの接続を確立するステップと、前記航空サーバで提供される、前記ユーザのフライトに対応するフライト情報をリアルタイムにモニタリングするステップと、を含む。
【０００９】
好ましくは、前記フライト変更通知を前記少なくとも１つのユーザの連絡人へ送信する方式は、ＳＭＳの方式で前記フライト変更通知を前記少なくとも１つのユーザの連絡人へ送信する送信方式と、電子メールの方式で前記フライト変更通知を前記少なくとも１つのユーザの連絡人へ送信する送信方式と、インスタントメッセンジャソフトウェアで前記フライト変更通知を前記少なくとも１つのユーザの連絡人へ送信する送信方式と、のうちの少なくとも１つを含む。
【００１０】
好ましくは、前記方法は、前記ユーザのフライトが変更されていないことを前記フライト情報が示すとき、前記フライト設定情報を削除するステップをさらに含む。
【００１１】
本開示の実施例の第２の態様によれば、フライト設定方法を提供する。前記方法は、ユーザのフライトと少なくとも１つのユーザの連絡人とを含むフライト設定情報が受信されたか否かを判断するステップと、ユーザサーバが航空サーバで提供される前記ユーザのフライトに対応するフライト情報をモニタリングするように、前記フライト設定情報が受信されたとき、前記フライト設定情報をユーザサーバへ送信するステップと、を含む。
【００１２】
好ましくは、前記フライト設定情報が受信されたか否かを判断するステップは、フライト変更通知に対する設定指令が受信されたか否かを判断するステップと、フライト変更通知に対する設定指令が受信されたとき、前記設定指令に基づいて、少なくとも１つのフライト変更通知テンプレートを取得するステップと、前記少なくとも１つのフライト変更通知テンプレートのうちの１つのフライト変更通知テンプレートに対する編集指令を受信し、前記編集指令に基づいて、前記フライト設定情報を生成するステップと、を含む。
【００１３】
好ましくは、前記フライト変更通知テンプレートは、前記ユーザのフライトに対応するフライト情報が書き込まれるための予約プレースホルダーを含む。
【００１４】
好ましくは、前記フライト設定情報をユーザサーバへ送信する方式は、ＳＭＳの方式で前記フライト設定情報をユーザサーバへ送信する送信方式と、電子メールの方式で前記フライト設定情報をユーザサーバへ送信する送信方式と、インスタントメッセンジャソフトウェアで前記フライト設定情報をユーザサーバへ送信する送信方式と、のうちの少なくとも１つを含む。
【００１５】
本開示の実施例の第３の態様によれば、フライト通知装置を提供する。前記装置は、ユーザのフライトと少なくとも１つのユーザの連絡人とを含むフライト設定情報を受信するための受信モジュールと、航空サーバで提供される、前記ユーザのフライトに対応するフライト情報をモニタリングするためのモニタリングモジュールと、前記ユーザのフライトが変更されたことを前記フライト情報が示すとき、前記フライト情報における変更情報に基づいて、前記変更情報を含むフライト変更通知を生成するための変更通知生成モジュールと、前記フライト変更通知を前記少なくとも１つのユーザの連絡人へ送信するための送信モジュールと、を備える。
【００１６】
好ましくは、前記フライト設定情報は、プレースホルダーをさらに含み、前記変更通知生成モジュールは、前記フライト情報における変更情報に応じて、前記フライト設定情報における前記プレースホルダーに書き込んで前記フライト変更通知を生成するための書込サブモジュールを有する。
【００１７】
好ましくは、前記変更通知生成モジュールは、前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するための第１の変更通知生成サブモジュール、または、前記ユーザのフライトに故障が起きたことを前記フライト情報が示すとき、前記フライト情報における故障情報に基づいて、前記故障情報を含むフライト変更通知を生成するための第２の変更通知生成サブモジュール、または、前記ユーザのフライトが所定の空港以外の空港に降下する必要があることを前記フライト情報が示すとき、前記フライト情報における空港変更情報に基づいて、降下空港名と降下時間とを含むフライト変更通知を生成するための第３の変更通知生成サブモジュールを有する。
【００１８】
好ましくは、前記モニタリングモジュールは、前記フライト設定情報に基づいて、前記航空サーバとの接続を確立するための接続サブモジュールと、前記航空サーバで提供される、前記ユーザのフライトに対応するフライト情報をリアルタイムにモニタリングするためのモニタリングサブモジュールと、を有する。
【００１９】
好ましくは、前記送信モジュールは、ＳＭＳの方式で前記少なくとも１つのユーザの連絡人における各ユーザの連絡人へ前記フライト変更通知を送信する送信方式と、電子メールの方式で前記少なくとも１つのユーザの連絡人における各ユーザの連絡人へ前記フライト変更通知を送信する送信方式と、インスタントメッセンジャの方式で前記少なくとも１つのユーザの連絡人における各ユーザの連絡人へ前記フライト変更通知を送信する送信方式と、のうちの少なくとも１つを含む。
【００２０】
好ましくは、前記装置は、前記ユーザのフライトが変更されていないことを前記フライト情報が示すとき、前記フライト設定情報を削除するための削除モジュールをさらに備える。
【００２１】
本開示の実施例の第４の態様によれば、フライト設定装置を提供する。前記装置は、ユーザのフライトと少なくとも１つのユーザの連絡人とを含むフライト設定情報が受信されたか否かを判断するための判断モジュールと、ユーザサーバが航空サーバで提供される前記ユーザのフライトに対応するフライト情報をモニタリングするように、前記フライト設定情報が受信されたとき、前記フライト設定情報をユーザサーバへ送信するための送信モジュールと、を備える。
【００２２】
好ましくは、前記判断モジュールは、フライト変更通知に対する設定指令が受信されたか否かを判断するための判断サブモジュールと、フライト変更通知に対する設定指令が受信されたとき、前記設定指令に基づいて、少なくとも１つのフライト変更通知テンプレートを取得するための取得サブモジュールと、前記少なくとも１つのフライト変更通知テンプレートのうちの１つのフライト変更通知テンプレートに対する編集指令を受信し、前記編集指令に基づいて、前記フライト設定情報を生成するための設定情報生成サブモジュールと、を有する。
【００２３】
好ましくは、前記フライト変更通知テンプレートは、前記ユーザのフライトに対応するフライト情報が書き込まれるための予約プレースホルダーを含む。
【００２４】
好ましくは、前記送信モジュールの送信方式は、ＳＭＳの方式で前記フライト設定情報をユーザサーバへ送信する送信方式と、電子メールの方式で前記フライト設定情報をユーザサーバへ送信する送信方式と、インスタントメッセンジャの方式で前記フライト設定情報をユーザサーバへ送信する送信方式と、のうちの少なくとも１つを含む。
【００２５】
本開示の実施例の第５の態様によれば、フライト通知装置を提供する。前記装置は、プロセッサと、プロセッサが実行可能な指令を含むメモリと、を備え、前記プロセッサは、ユーザのフライトと少なくとも１つのユーザの連絡人とを含むフライト設定情報を受信し、航空サーバで提供される、前記ユーザのフライトに対応するフライト情報をモニタリングし、前記ユーザのフライトが変更されたことを前記フライト情報が示すとき、前記フライト情報における変更情報に基づいて、前記変更情報を含むフライト変更通知を生成し、前記フライト変更通知を前記少なくとも１つのユーザの連絡人へ送信するように構成される。
【００２６】
本開示の実施例の第６の態様によれば、フライト設定装置を提供する。前記装置は、プロセッサと、プロセッサが実行可能な指令を含むメモリと、を備え、前記プロセッサは、ユーザのフライトと少なくとも１つのユーザの連絡人とを含むフライト設定情報が受信されたか否かを判断し、ユーザサーバが航空サーバで提供される前記ユーザのフライトに対応するフライト情報をモニタリングするように、前記フライト設定情報が受信されたとき、前記フライト設定情報をユーザサーバへ送信するように構成される。
【発明の効果】
【００２７】
本開示の実施例による技術案は、以下の格別な作用効果を含むことができる。
【００２８】
本開示によれば、ユーザのフライトと少なくとも１つのユーザの連絡人とを含むユーザサーバフライト設定情報を受信し、航空サーバで提供される、ユーザのフライトに対応するフライト情報をモニタリングし、フライト情報が、ユーザのフライトが変更されたことを示すとき、フライト情報における変更情報に基づいて、変更情報を含むフライト変更通知を生成し、前記少なくとも１つのユーザの連絡人へフライト変更通知を送信することで、ユーザのフライトが変更されたとき、ユーザの連絡人へフライト変更通知を自発的に送信することができ、ユーザ体験が向上する。
【００２９】
ある実施例では、本開示によれば、ユーザ端末がパワーオフする場合、ユーザサーバが航空サーバとの接続により、ユーザのフライトに対応するフライト情報を自動でモニタリングすることができ、ユーザ体験が向上する。
【００３０】
ある実施例では、本開示によれば、フライト情報が、ユーザのフライトに何れかの異常があることを示すとき、ユーザサーバで生成されるフライト変更通知に当該異常に対応する情報が含まれることで、ユーザの連絡人が当該フライト変更通知を取得したとき、ユーザのフライトにどんな異常があるかを直ちに知ることができ、ユーザの連絡人の体験が向上する。
【００３１】
ある実施例では、本開示によれば、ユーザサーバがユーザの連絡人へフライト変更通知を送信することは、１つまたは複数の通信方式を用いることができる。これによって、ユーザの連絡人がフライト変更通知を受信できることを確保し、フライト変更通知における変更情報を直ちに知り、ユーザの連絡人の体験が向上する。
【００３２】
ある実施例では、本開示によれば、ユーザサーバは航空サーバで提供される、フライト情報をモニタリングするとき、期限が切れたフライト設定情報を削除することができ、これによって、リソースの利用率が向上する。
【００３３】
ある実施例では、本開示によれば、ユーザ端末はフライト設定情報が受信されたか否かを判断し、フライト設定情報が受信されたとき、フライト設定情報をユーザサーバへ送信して、ユーザサーバは、航空サーバで提供される、ユーザのフライトに対応するフライト情報をモニタリングすることができる。これによって、ユーザ端末がパワーオフする場合、ユーザサーバは、端末機器から送信されたフライト設定情報に基づいて、航空サーバで提供される、ユーザのフライトに対応するフライト情報をモニタリングすることができ、かつ、ユーザのフライトが変更されたとき、フライト変更通知を生成し、ユーザの連絡人へフライト変更通知を自発的に送信することができ、さらに、ユーザ体験が向上する。
【００３４】
ある実施例では、本開示によれば、ユーザ端末がフライト変更通知テンプレートを提供することができ、これによって、ユーザがフライト設定情報を設定する効率が向上し、さらに、ユーザ体験が向上する。
【００３５】
ある実施例では、本開示によれば、ユーザ端末がフライト設定情報をユーザサーバへ送信することは、１つまたは複数の通信方式を用いることができ、これによって、ユーザサーバがフライト設定情報を受信できることを確保する。
【００３６】
上述した一般的な記述および後続の詳細な記述は、単に例示的および解釈的なものであり、本発明を制限できるものでないと理解されるべきである。
【図面の簡単な説明】
【００３７】
ここでの図面は、明細書を構成する一部として見なされ、本開示に適した実施例を示し、かつ、明細書の文字記載とともに本開示の仕組みを解釈するために用いられる。
【図１】本開示のある実施例によるフライト通知方法を示すフローチャートである。
【図２】本開示のある実施例による別のフライト通知方法を示すフローチャートである。
【図３】本開示のある実施例による別のフライト通知方法を示すフローチャートである。
【図４】本開示のある実施例によるフライト設定方法を示すフローチャートである。
【図５】本開示のある実施例による別のフライト設定方法を示すフローチャートである。
【図６】本開示のある実施例による別のフライト設定方法におけるフライト変更通知テンプレートを示す模式図である。
【図７】本開示のある実施例によるフライト通知装置を示すブロック図である。
【図８】本開示のある実施例による別のフライト通知装置を示すブロック図である。
【図９】本開示のある実施例による別のフライト通知装置を示すブロック図である。
【図１０】本開示のある実施例による別のフライト通知装置を示すブロック図である。
【図１１】本開示のある実施例による別のフライト通知装置を示すブロック図である。
【図１２】本開示のある実施例によるフライト設定装置を示すブロック図である。
【図１３】本開示のある実施例による別のフライト設定装置を示すブロック図である。
【図１４】本開示のある実施例によるフライト通知装置のための構造模式図である。
【図１５】本開示のある実施例によるフライト設定装置のための構造模式図である。
【発明を実施するための形態】
【００３８】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の側面と一致する装置および方法の例に過ぎない。
【００３９】
本開示に記載の用語は、特定の実施例を説明する目的で使用されるものに過ぎず、本開示を限定するものではない。本開示及び添付する特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００４０】
また、本開示は、第１、第２、第３などの用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称してもよい。同じように、第２の情報を第１の情報と称してもよい。ここで使っている用語「……場合」は、文脈の意味によって、「……時」または「……と」又は「確定に応じる」に解釈されてもよい。
【００４１】
図１に示すように、図１は、本開示のある実施例によるフライト通知方法を示すフローチャートである。当該方法は、ユーザサーバに用いることができ、以下のステップを含む。
【００４２】
ステップ１１０では、ユーザのフライトと少なくとも１つのユーザの連絡人とを含むフライト設定情報を受信する。
【００４３】
本開示の実施例では、フライト設定情報は、ユーザが設定するものであり、ユーザのフライトは、ユーザ端末の属するユーザが乗るフライトであってもよいし、他のユーザが乗るフライトであってもよい。ある実施例では、フライト設定情報は、システムからテンプレートを提供されて、ユーザが当該テンプレートを編集して得られるものであってもよく、または、編集しないものである。例示的には、システムが提供するテンプレートは、複数であってもよいし、１つであってもよい。ユーザは、複数のテンプレートから１つのテンプレートを選択し、当該テンプレートを対応的に編集し、または、編集しないで当該フライト設定情報を取得してもよい。ユーザの連絡人は、１つであってもよいし、複数であってもよく、空港まで迎えに行く普通の人であってもよいし、親戚または友達であってもよい。ここでのユーザの連絡人とは、ユーザの連絡人の連絡方式、例えば、電話番号、メール名、ＱＱ番号、ウィーチャット番号などのものである。
【００４４】
また、フライト設定情報は、ユーザのフライトと少なくとも１つのユーザの連絡人とを含むだけではなく、さらに、ユーザ定義される情報を含んでもよい。
【００４５】
例えば、ユーザ定義される情報は、「小明です。フライトが変更されましたので、だいたい＿に到着します。心配しないでください」である。ただし、「＿」はプレースホルダーであり、かつ、当該ユーザ定義される情報に変更時間のプレースホルダーを予約する目的は、ユーザサーバが変更時間を取得した後、変更時間をプレースホルダーに対応する位置に書き込むことである。
【００４６】
ステップ１２０では、航空サーバで提供される、ユーザのフライトに対応するフライト情報をモニタリングする。
【００４７】
本開示の実施例では、ユーザサーバと航空サーバとは、同一サーバではない可能性があり、航空サーバは、就航ダイヤのフライト情報、例えば、フライト番号、出発時間、到達時間または変更後の出発時間、到達時間を提供する。
【００４８】
ユーザサーバは、ユーザ端末から送信されたフライト設定情報を受信した後、当該フライト設定情報におけるユーザのフライトに基づいて、航空サーバで提供される、当該ユーザのフライトに対応するフライト情報をモニタリングし、その目的は、ユーザのフライトが変更されたか否かを判断することである。
【００４９】
ステップ１３０では、ユーザのフライトに対応するフライト情報が、当該ユーザのフライトが変更されたことを示すとき、当該ユーザのフライトに対応するフライト情報における変更情報に基づいて、変更情報を含むフライト変更通知を生成する。
【００５０】
本開示の実施例では、ユーザのフライトに対応するフライト情報は、飛行機が遅れ、または、飛行機に故障があり、または、飛行機が天気によって所定の空港以外の空港で降下する必要があるといったことである場合、当該ユーザのフライトが変更されたことを示す必要があり、かつ、生成されるフライト変更通知には、変更情報が含まれる。
【００５１】
１つの例として、飛行機が遅れる場合、変更情報は飛行機が遅れた後の到達時間などを含んでもよい。
【００５２】
もう１つの例として、飛行機が天気によって所定の空港以外の空港で降下する必要がある場合、変更情報は、降下空港名、降下時間などを含んでもよい。
【００５３】
ステップ１４０では、少なくとも１つのユーザの連絡人へフライト変更通知を送信する。
【００５４】
本開示の実施例では、ユーザのフライトに対応するフライト情報が、当該ユーザのフライトが変更されたことを示すとき、ユーザサーバがフライト変更通知を自発的に各ユーザの連絡人へ送信して、各ユーザの連絡人が変更情報に基づいて時間の手配を合理にする。
【００５５】
上記実施例から分かるように、ユーザのフライトと少なくとも１つのユーザの連絡人とを含むフライト設定情報を受信し、航空サーバで提供される、ユーザのフライトに対応するフライト情報をモニタリングし、フライト情報が、ユーザのフライトが変更されたことを示すとき、フライト情報における変更情報に基づいて、変更情報を含むフライト変更通知を生成し、少なくとも１つのユーザの連絡人へフライト変更通知を送信することで、ユーザのフライトが変更されたとき、ユーザの連絡人へフライト変更通知を自発的に送信することができるため、ユーザ体験が向上する。
【００５６】
ある開示実施例では、ステップ１２０において、航空サーバで提供される、ユーザのフライトに対応するフライト情報をモニタリングすることを実行する際に、図２に示すように、以下のステップを含んでもよい。
【００５７】
ステップ２１０では、フライト設定情報に基づいて、航空サーバとの接続を確立する。
【００５８】
本開示の実施例では、ユーザサーバと航空サーバとは、同一サーバではない可能性があり、航空サーバは、就航ダイヤのフライト情報、例えば、フライト番号、出発時間、到達時間または変更後の到達時間を提供する。フライトサーバで提供されるフライト情報をモニタリングするには、航空サーバとの接続を確立する必要がある。
【００５９】
ステップ２２０では、航空サーバで提供される、ユーザのフライトに対応するフライト情報をリアルタイムにモニタリングする。
【００６０】
本開示の実施例では、航空サーバで提供される、当該ユーザのフライトに対応するフライト情報をリアルタイムにモニタリングする目的は、ユーザのフライトが変更されたか否かを判断することであり、変更した場合、フライト変更通知を生成する必要があり、変更していない場合、フライト変更通知を生成する必要がない。
【００６１】
上記実施例から分かるように、ユーザサーバは、航空サーバとの接続によって、ユーザのフライトに対応するフライト情報を自発的にモニタリングすることができ、ユーザ体験が向上する。
【００６２】
別の開示実施例では、ステップ１３０において、フライト情報が前記ユーザのフライトが変更されたことを示すとき、フライト情報における変更情報に基づいて、フライト変更通知を生成することを実行する際に、図３に示すように、以下のステップを含んでもよい。
【００６３】
ステップ３１０では、フライト情報が、ユーザのフライトの到達時間が所定の到達時間を過ぎたことを示すとき、ユーザのフライトの到達時間に基づいて、ユーザのフライトが変更された到達時間を含むフライト変更通知を生成する。
【００６４】
ステップ３２０では、フライト情報が、ユーザのフライトに故障が起きたことを示すとき、フライト情報における故障情報に基づいて、故障情報を含むフライト変更通知を生成する。
【００６５】
ステップ３３０では、フライト情報が、ユーザのフライトが所定の空港以外の空港に降下する必要があることを示すとき、フライト情報における需要情報に基づいて、降下空港名と降下時間とを含むフライト変更通知を生成する。
【００６６】
上記ステップ３１０、ステップ３２０及びステップ３３０は、前後順番を限定しておらず、同時に発生してもよいし、しなくてもよい。
【００６７】
例えば、若し、飛行機に故障があり、所定の空港以外の空港に降下する必要があり、かつ、当該空港に到達する時間が所定の空港に到達する所定の到達時間を遥かに超える場合、フライト変更通知は、例えば、故障情報、降下空港名及び降下時間などを含んでもよい。
【００６８】
もう１つの例として、若し、飛行機に故障があり、かつ、到達時間が所定の到達時間を遥かに超える場合、フライト変更通知は、例えば、故障情報、ユーザのフライト変更後の到達時間などを含んでもよい。
【００６９】
上記実施例から分かるように、フライト情報が、ユーザのフライトに何れかの異常があることを示すとき、生成されるフライト変更通知には、当該異常に対応する情報が含まれることで、ユーザの端末がパワーオフ状態にあり、ユーザの連絡人に直ちに通知することが不便で、または、ユーザの連絡人に直ちに通知することができなくても、ユーザの連絡人は、ユーザのフライトにどんな変更または異常があるかを直ちに知ることができ、ユーザの連絡人の体験が向上する。
【００７０】
別の開示実施例では、受信されたフライト設定情報にはさらにプレースホルダーを含んでもよいため、ステップ１３０において、フライト情報における変更情報に基づいて、フライト変更通知を生成することを実行する際に、さらに以下の方式を採用してもよい。
【００７１】
モニタリングされたフライト情報における変更情報に基づいて、フライト設定情報におけるプレースホルダーに書き込み、フライト変更通知を生成する。
【００７２】
別の開示実施例では、ステップ１４０において、少なくとも１つのユーザの連絡人における各ユーザの連絡人へフライト変更通知を送信することを実行する際に、以下の送信方式のうちの少なくとも１つを含んでもよい。
【００７３】
方式一としては、ＳＭＳの方式で少なくとも１つのユーザの連絡人における各ユーザの連絡人へフライト変更通知を送信する。
【００７４】
方式二としては、電子メールの方式で少なくとも１つのユーザの連絡人における各ユーザの連絡人へフライト変更通知を送信する。
【００７５】
方式三としては、インスタントメッセンジャの方式で少なくとも１つのユーザの連絡人における各ユーザの連絡人へフライト変更通知を送信する。
【００７６】
インスタントメッセンジャの方式は、ウィーチャット、ＱＱ、Ｍｉ Ｔａｌｋなどの多種の方式であってもよい。
【００７７】
上記実施例から分かるように、ユーザサーバがユーザの連絡人へフライト変更通知を送信することは、１つまたは複数の通信方式を用いることができ、これによって、ユーザの連絡人がフライト変更通知を受信し、かつ、フライト変更通知における変更情報を直ちに知ることができ、ユーザの連絡人の体験が向上する。
【００７８】
別の開示実施例では、ステップ１２０において、航空サーバで提供される、ユーザのフライトに対応するフライト情報をモニタリングすることを実行した後、フライト情報が、ユーザのフライトが変更されていないことを示すとき、フライト設定情報を削除するステップをさらに含む。
【００７９】
例えば、ユーザのフライトが定刻に到達する場合、ユーザが設定したフライト設定情報をユーザの連絡人へ送信することなく、削除してもよい。
【００８０】
上記実施例から分かるように、ユーザサーバが航空サーバで提供される、フライト情報をモニタリングするとき、期限が切れたフライト設定情報を削除することができ、これによって、リソースの利用率が向上する。
【００８１】
本開示では、これを限定しない。ある実施例では、ユーザは、フライト情報が変更されたときに送信すべきフライト変更通知、および、フライト情報が変更されていないときのフライト通知をそれぞれ設定してもよい。フライト情報が変更されたとき、ユーザサーバがフライト変更通知を各ユーザの連絡人へ自発的に送信し、各ユーザの連絡人がユーザのフライト変更状况を直ちに把握し、ユーザ体験が向上する。フライト情報が変更されていないとき、ユーザサーバは、フライト通知を各ユーザの連絡人へ自発的に送信してもよく、ユーザ体験が向上する。
【００８２】
図４に示すように、図４は、本開示のある実施例によるフライト設定方法を示すフローチャートである。当該方法は、ユーザ端末に用いることができる。ユーザ端末は、各種のスマートフォン、タブレットＰＣ、ＰＣ（Ｐｅｒｓｏｎａｌ Ｃｏｍｐｕｔｅｒ、パーソナルコンピュータ）などを含んでもよい。
【００８３】
当該方法は、以下のステップを含んでもよい。
【００８４】
ステップ４１０では、ユーザのフライトと少なくとも１つのユーザの連絡人とを含むフライト設定情報が受信されたか否かを判断する。
【００８５】
本開示の実施例では、フライト設定情報は、ユーザが設定するものであり、ユーザのフライトは、ユーザ端末の属するユーザが乗るフライトであってもよいし、他のユーザが乗るフライトであってもよい。ユーザの連絡人は、１つであってもよいし、複数であってもよく、空港まで迎えに行く普通の人であってもよいし、親戚または友達であってもよい。ここでのユーザの連絡人とは、ユーザの連絡人の連絡方式、例えば、電話番号、メール名、ＱＱ番号などのものである。
【００８６】
また、フライト設定情報は、ユーザのフライトと少なくとも１つのユーザの連絡人とを含むだけではなく、さらに、ユーザ定義される情報を含んでもよい。
【００８７】
例えば、ユーザ定義される情報は、「小明です。フライトが変更されましたので、だいたい＿に到着します。心配しないでください」である。ただし、「＿」はプレースホルダーであり、かつ、当該ユーザ定義される情報に変更時間のプレースホルダーを予約する目的は、ユーザサーバが変更時間を取得した後、変更時間をプレースホルダーに対応する位置に書き込むことである。
【００８８】
ステップ４２０では、ユーザサーバが航空サーバで提供される、ユーザのフライトに対応するフライト情報をモニタリングするように、フライト設定情報が受信されたとき、フライト設定情報をユーザサーバに送信する。
【００８９】
上記実施例から分かるように、フライト設定情報が受信されたか否かを判断し、フライト設定情報が受信されたとき、フライト設定情報をユーザサーバへ送信して、ユーザサーバは、航空サーバで提供される、ユーザのフライトに対応するフライト情報をモニタリングすることができる。これによって、ユーザサーバは、端末機器から送信されたフライト設定情報に基づいて、航空サーバで提供される、ユーザのフライトに対応するフライト情報をモニタリングすることができ、かつ、ユーザのフライトが変更されたとき、フライト変更通知を生成し、ユーザの連絡人へフライト変更通知を自発的に送信することができ、さらに、ユーザ体験が向上する。
【００９０】
ある好ましい方式では、ステップ４１０において、フライト設定情報が受信されたか否かを判断することを実行する際に、図５に示すように、以下のステップを含んでもよい。
【００９１】
ステップ５１０では、フライト変更通知に対する設定指令が受信されたか否かを判断する。
【００９２】
ステップ５２０では、フライト変更通知に対する設定指令が受信されたとき、当該設定指令に基づいて、少なくとも１つのフライト変更通知テンプレートを取得する。
【００９３】
ステップ５３０では、少なくとも１つのフライト変更通知テンプレートのうちの１つのフライト変更通知テンプレートに対する編集指令を受信し、当該編集指令に基づいて、フライト設定情報を生成する。
【００９４】
上記フライト変更通知テンプレートは、前記ユーザのフライトに対応するフライト情報が書き込まれるための予約プレースホルダーを含む。
【００９５】
例えば、図６にはフライト変更通知テンプレートが示されており、当該フライト変更通知テンプレートは予約プレースホルダーを含む。図６に示すように、「小明です。フライトが変更されましたので、だいたい＿に到着します。心配しないでください」である。「＿」はプレースホルダーであり、かつ、当該プレースホルダーを予約する目的は、ユーザサーバが変更時間を取得した後、変更時間をプレースホルダーに対応する位置に書き込むことである。
【００９６】
ユーザは、携帯電話ＳＭＳにおいてフライト変更設定機能を探索し、それから、現在では乗るフライトを選択し、さらに、変更するときに迎えに来る人または家族友達の連絡方式を設定し、カスタマイズを完成した後、当該フライト設定情報をサーバに提出することができる。
【００９７】
上記実施例から分かるように、ユーザ端末がフライト変更通知テンプレートを提供することができ、これによって、ユーザがフライト設定情報を設定する効率が向上し、さらに、ユーザ体験が向上する。
【００９８】
別の好ましい方式では、ステップ４２０において、フライト設定情報をユーザサーバへ送信することを実行する際に、以下の送信方式のうちの少なくとも１つを含んでもよい。
【００９９】
方式一としては、ＳＭＳの方式でフライト設定情報をユーザサーバへ送信する。
【０１００】
方式二としては、電子メールの方式でフライト設定情報をユーザサーバへ送信する。
【０１０１】
方式三としては、インスタントメッセンジャソフトウェアでフライト設定情報をユーザサーバへ送信する。
【０１０２】
インスタントメッセンジャソフトウェアは、ウィーチャット、ＱＱ、ＭｉＴａｌｋなどを含んでもよい。
【０１０３】
上記実施例から分かるように、フライト設定情報をユーザサーバへ送信することは、１つまたは複数の通信方式を用いることができ、これによって、ユーザサーバがフライト設定情報を受信できることを確保する。
【０１０４】
前記フライト通知方法実施例及びフライト設定方法実施例と対応的に、本開示は、フライト通知装置の実施例及びフライト設定装置の実施例をさらに提供する。
【０１０５】
図７に示すように、図７は、本開示のある実施例によるフライト通知装置を示すブロック図である。前記装置はユーザサーバに用いられ、かつ、図１に示すフライト通知方法を実行する。前記装置は、受信モジュール７１とモニタリングモジュール７２と変更通知生成モジュール７３と送信モジュール７４とを備える。
【０１０６】
受信モジュール７１は、ユーザのフライトと少なくとも１つのユーザの連絡人とを含むフライト設定情報を受信するように構成される。
【０１０７】
モニタリングモジュール７２は、航空サーバで提供される、前記ユーザのフライトに対応するフライト情報をモニタリングするように構成される。
【０１０８】
変更通知生成モジュール７３は、前記ユーザのフライトが変更されたことを前記フライト情報が示すとき、前記フライト情報における変更情報に基づいて、前記変更情報を含むフライト変更通知を生成するように構成される。
【０１０９】
送信モジュール７４は、前記フライト変更通知を前記少なくとも１つのユーザの連絡人へ送信するように構成される。
【０１１０】
上記実施例から分かるように、ユーザのフライトと少なくとも１つのユーザの連絡人とを含むフライト設定情報を受信し、航空サーバで提供される、ユーザのフライトに対応するフライト情報をモニタリングし、フライト情報が、ユーザのフライトが変更されたことを示すとき、フライト情報における変更情報に基づいて、変更情報を含むフライト変更通知を生成し、少なくとも１つのユーザの連絡人へフライト変更通知を送信することで、ユーザのフライトが変更されたとき、ユーザの連絡人へフライト変更通知を自発的に送信することができるため、ユーザ体験が向上する。
【０１１１】
図８は、本開示のある実施例による別のフライト通知装置を示すブロック図である。当該実施例では、前記図７に示す実施例を基に、前記フライト設定情報は、プレースホルダーをさらに含んでも良く、前記変更通知生成モジュール７３は、書込サブモジュール８１を含んでもよい。
【０１１２】
書込サブモジュール８１は、前記フライト情報における変更情報に応じて、前記フライト設定情報における前記プレースホルダーに書き込んで前記フライト変更通知を生成するように構成される。
【０１１３】
図９に示すように、図９は、本開示のある実施例による別のフライト通知装置を示すブロック図である。当該実施例では、前記図７に示す実施例を基に、前記変更通知生成モジュール７３は、第１の変更通知生成サブモジュール９１、または、第２の変更通知生成サブモジュール９２、または、第３の変更通知生成サブモジュール９３を含んでもよい。
【０１１４】
第１の変更通知生成サブモジュール９１は、前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するように構成され、または、
第２の変更通知生成サブモジュール９２は、前記ユーザのフライトに故障が起きたことを前記フライト情報が示すとき、前記フライト情報における故障情報に基づいて、前記故障情報を含むフライト変更通知を生成するように構成され、または、
第３の変更通知生成サブモジュール９３は、前記ユーザのフライトが所定の空港以外の空港に降下する必要があることを前記フライト情報が示すとき、前記フライト情報における空港変更情報に基づいて、降下空港名と降下時間とを含むフライト変更通知を生成するように構成される。
【０１１５】
上記実施例から分かるように、フライト情報が、ユーザのフライトに何れかの異常があることを示すとき、生成されるフライト変更通知には、当該異常に対応する情報が含まれることで、ユーザの連絡人が当該フライト変更通知を取得したとき、ユーザのフライトにどんな異常があるかを直ちに知ることができ、ユーザの連絡人の体験が向上する。
【０１１６】
図１０に示すように、図１０は、本開示の実施例による別のフライト通知装置を示すブロック図である。当該実施例では、前記図７に示す実施例を基に、前記モニタリング手段７２は、接続サブモジュール１０１とモニタリングサブ手段１０２とを含んでもよい。
【０１１７】
接続サブモジュール１０１は、前記フライト設定情報に基づいて、前記航空サーバとの接続を確立するように構成される。
【０１１８】
モニタリングサブ手段１０２は、前記航空サーバで提供される、前記ユーザのフライトに対応するフライト情報をリアルタイムにモニタリングするように構成される。
【０１１９】
上記実施例から分かるように、ユーザ端末がパワーオフする場合、ユーザサーバが航空サーバとの接続により、ユーザのフライトに対応するフライト情報を自動でモニタリングすることができ、ユーザ体験が向上する。
【０１２０】
別の開示実施例では、前記送信モジュール７４は、ＳＭＳの方式で前記少なくとも１つのユーザの連絡人における各ユーザの連絡人へ前記フライト変更通知を送信する送信方式と、電子メールの方式で前記少なくとも１つのユーザの連絡人における各ユーザの連絡人へ前記フライト変更通知を送信する送信方式と、インスタントメッセンジャの方式で前記少なくとも１つのユーザの連絡人における各ユーザの連絡人へ前記フライト変更通知を送信する送信方式のうちの少なくとも１つを含んでもよい。
【０１２１】
上記実施例から分かるように、各ユーザの連絡人へフライト変更通知を送信することは、１つまたは複数の通信方式を用いることができ、これによって、ユーザの連絡人がフライト変更通知を受信できることを確保し、フライト変更通知における変更情報を直ちに知り、ユーザの連絡人の体験が向上する。
【０１２２】
図１１に示すように、図１１は、本開示のある実施例によるフライト通知装置を示すブロック図である。当該実施例では、前記図７に示す実施例を基に、前記装置は削除モジュール１１１をさらに含む。
【０１２３】
削除モジュール１１１は、前記ユーザのフライトが変更されていないことを前記フライト情報が示すとき、前記フライト設定情報を削除するように構成される。
【０１２４】
上記実施例から分かるように、ユーザサーバは航空サーバで提供される、フライト情報をモニタリングするとき、期限が切れたフライト設定情報を削除することができ、これによって、リソースの利用率が向上する。
【０１２５】
図１２に示すように、図１２は、本開示の実施例によるフライト設定装置を示すブロック図である。当該実施例は、ユーザ端末に配置されるべきであり、前記装置は、判断モジュール１２１と送信モジュール１２２とを有してもよい。
【０１２６】
判断モジュール１２１は、ユーザのフライトと少なくとも１つのユーザの連絡人とを含むフライト設定情報が受信されたか否かを判断するように構成される。
【０１２７】
送信モジュール１２２は、ユーザサーバが航空サーバで提供される前記ユーザのフライトに対応するフライト情報をモニタリングするように、前記フライト設定情報が受信されたとき、前記フライト設定情報をユーザサーバへ送信するように構成される。
【０１２８】
上記実施例から分かるように、フライト設定情報が受信されたか否かを判断し、ユーザサーバが航空サーバで提供される前記ユーザのフライトに対応するフライト情報をモニタリングするように、前記フライト設定情報が受信されたとき、前記フライト設定情報をユーザサーバへ送信することで、ユーザ端末がパワーオフする場合、ユーザサーバは、端末機器から送信されたフライト設定情報に基づいて、航空サーバで提供される、ユーザのフライトに対応するフライト情報をモニタリングすることができ、かつ、ユーザのフライトが変更されたとき、フライト変更通知を生成し、ユーザの連絡人へフライト変更通知を自発的に送信することができ、さらに、ユーザ体験が向上する。
【０１２９】
図１３に示すように、図１３は、本開示のある実施例による別のフライト変更設定装置を示すブロック図である。当該実施例では、前記図１２に示す実施例を基に、前記判断モジュール１２１は、判断サブモジュール１３１と取得サブモジュール１３２と設定情報生成サブモジュール１３３とを有する。
【０１３０】
判断サブモジュール１３１は、フライト変更通知に対する設定指令が受信されたか否かを判断するように構成される。
【０１３１】
取得サブモジュール１３２は、フライト変更通知に対する設定指令が受信されたとき、前記設定指令に基づいて、少なくとも１つのフライト変更通知テンプレートを取得するように構成される。
【０１３２】
設定情報生成サブモジュール１３３は、前記少なくとも１つのフライト変更通知テンプレートのうちの１つのフライト変更通知テンプレートに対する編集指令を受信し、前記編集指令に基づいて、前記フライト設定情報を生成するように構成される。
【０１３３】
フライト変更通知テンプレートは、前記ユーザのフライトに対応するフライト情報が書き込まれるための予約プレースホルダーを含む。
【０１３４】
上記実施例から分かるように、ユーザ端末がフライト変更通知テンプレートを提供することができ、これによって、ユーザがフライト設定情報を設定する効率が向上し、さらに、ユーザ体験が向上する。
【０１３５】
好ましくは、前記送信モジュール１２２の送信方式は、ＳＭＳの方式で前記フライト設定情報をユーザサーバへ送信する送信方式と、電子メールの方式で前記フライト設定情報をユーザサーバへ送信する送信方式と、インスタントメッセンジャの方式で前記フライト設定情報をユーザサーバへ送信する送信方式とのうちの少なくとも１つを採用してもよい。
【０１３６】
上記実施例から分かるように、フライト設定情報をユーザサーバへ送信することは、１つまたは複数の通信方式を用いることができ、これによって、ユーザサーバがフライト設定情報を受信できることを確保する。
【０１３７】
図７と対応的に、本開示は、別のフライト通知装置をさらに提供する。前記装置は、ユーザサーバに用いられ、プロセッサと、プロセッサが実行可能な指令を含むメモリと、を備え、前記プロセッサは、ユーザのフライトと少なくとも１つのユーザの連絡人とを含むフライト設定情報を受信し、航空サーバで提供される、前記ユーザのフライトに対応するフライト情報をモニタリングし、前記ユーザのフライトが変更されたことを前記フライト情報が示すとき、前記フライト情報における変更情報に基づいて、前記変更情報を含むフライト変更通知を生成し、前記フライト変更通知を前記少なくとも１つのユーザの連絡人へ送信するように構成される。
【０１３８】
図１１と対応的に、本開示は、別のフライト設定装置をさらに提供する。前記装置は、ユーザ端末に用いられ、プロセッサと、プロセッサが実行可能な指令を含むメモリと、を備え、前記プロセッサは、ユーザのフライトと少なくとも１つのユーザの連絡人とを含むフライト設定情報が受信されたか否かを判断し、ユーザサーバが航空サーバで提供される、前記ユーザのフライトに対応するフライト情報をモニタリングするように、前記フライト設定情報が受信されたとき、前記フライト設定情報をユーザサーバへ送信するように構成される。
【０１３９】
上記装置における各手段の機能および作用の実現手順の詳細は、上記方法における対応するステップの実現手順を参照すればよいため、ここで繰り返し説明しない。
【０１４０】
装置実施例が基本的に方法実施例に対応するため、関連箇所は、方法実施例部分の説明を参照すればよい。以上に記載の装置実施例は、単なる模式的である。その中の分離部品として説明された手段は、物理的に離間してもよいし、しなくてもよい。手段として表示された部品は、物理手段であってもよいし、でなくてもよい。即ち、１箇所に位置してもよいし、複数のネットワークセルに分散してもよい。実際の必要に応じて、その中の一部または全部のモジュールを選択して本開示の目的を達成してもよい。当業者は、進歩性に値する労働をせずに、理解し実施可能である。
【０１４１】
図１４に示すように、図１４は、ある実施例によるフライト通知装置１９００のための構造模式図（ユーザサーバ側）である。例えば、装置１９００は、処理ユニット１９２２を備え、さらに、１つまたは複数のプロセッサと、処理ユニット１９２２が実行可能な指令、例えばアプリケーションプログラムを記憶するためのメモリ１９３２に代表されるメモリリソースと、を備える。メモリ１９３２に記憶されているアプリケーションプログラムは、それぞれ１セットの指令に対応する１つ以上のモジュールを有してもよい。また、処理ユニット１９２２は、指令を実行するために、指令を実行するように構成される。
【０１４２】
装置１９００は、さらに、装置１９００の電源管理を実行するように構成される電源ユニット１９２６と、装置１９００をネットワークに接続するように構成される有線または無線ネットワークインターフェース１９５０と、入力/出力（Ｉ/Ｏ）インターフェース１９５８と、を備えてもよい。装置１９００は、メモリ１９３２に記憶されている操作システム、例えばＷｉｎｄｏｗｓ（登録商標） ＳｅｒｖｅｒＴＭ、Ｍａｃ ＯＳ ＸＴＭ、ＵｎｉｘＴＭ、 Ｌｉｎｕｘ（登録商標）ＴＭ、ＦｒｅｅＢＳＤＴＭまたは類似するものを操作してもよい。
【０１４３】
図１５に示すように、図１５は、本開示のある実施例によるフライト設定装置１５００のため一構造模式図（ユーザ端末側）である。例えば、装置１５００は、ルーティング機能を有する移動電話、コンピュータ、デジタル放送端末、メッセージ送受信機器、ゲームコンソール、タブレットデバイス、医療設備、フィットネス機器、ＰＤＡなどであってもよい。
【０１４４】
図１５を参照すると、装置１５００は、以下の１つ又は複数のユニット、すなわち、処理ユニット１５０２、メモリ１５０４、電源ユニット１５０６、マルチメディアユニット１５０８、オーディオユニット１５１０、入力／出力（Ｉ／Ｏ）インターフェース１５１２、センサユニット１５１４及び通信ユニット１５１６を備えてもよい。
【０１４５】
処理ユニット１５０２は通常、装置１５００の全般操作、例えば、表示、電話発呼、データ通信、カメラ操作及び記録操作に関連する操作を制御する。処理ユニット１５０２は、前記方法のステップの全部又は一部を実行するように、指令を実行する１つ又は複数のプロセッサ１５２０を備えてもよい。また、処理ユニット１５０２は、処理ユニット１５０２と他のユニットとの間の相互作用を容易にするように、１つ又は複数のモジュールを備えてもよい。例えば、処理ユニット１５０２は、マルチメディアユニット１５０８と処理ユニット１５０２との間の相互作用を容易にするように、マルチメディアモジュールを備えてもよい。
【０１４６】
メモリ１５０４は、装置１５００での操作をサポートするために、各種別のデータを記憶するように構成される。これらのデータの例示は、装置１５００で操作する如何なるアプリケーションプログラムまたは方法の指令、連絡人データ、電話帳データ、メッセージ、ピクチャ、映像などを含む。メモリ１５０４は、如何なる種別の揮発性もしくは不揮発性記憶デバイスまたはそれらの組合せ、例えば、静のランダムアクセスメモリ（ＳＲＡＭ）、電気のに消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【０１４７】
電源ユニット１５０６は、装置１５００のユニットのそれぞれに電力を供給する。電源ユニット１５０６は、電源管理システム、１つまたは複数の電源、並びに、装置１５００用の電力を生成、管理および配分するに関する他のユニットを含んでもよい。
【０１４８】
マルチメディアユニット１５０８は、前記装置１５００とユーザとの間に１つの出力インターフェースを供給するスクリーンを備える。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット１５０８は、１つのフロントカメラおよび／またはバックカメラを含む。装置１５００が操作モード、例えば、撮像モードまたは映像モードにあるとき、フロントカメラおよび／またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１４９】
オーディオユニット１５１０は、オーディオ信号を出力および／または入力するように構成される。例えば、オーディオユニット１５１０は、マイク（ＭＩＣ）を備え、装置１５００が操作モード、例えば、発呼モード、記録モードおよび音声識別モードにあるとき、マイクは、外部オーディオ信号を受信するように構成される。受信されたオーディオ信号は、さらに、メモリ１５０４に記憶される、または、通信ユニット１５１６を介して送信されることができる。一部の実施例では、オーディオユニット１５１０は、さらに、オーディオ信号を出力するためのスピーカをさらに含む。
【０１５０】
Ｉ／Ｏインターフェース１５１２は、処理ユニット１５０２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでもよいが、それらに限定されない。
【０１５１】
センサユニット１５１４は、様々な側面での状態推定を装置１５００に供給するための１つまたは複数のセンサを含む。例えば、センサユニット１５１４は、装置１５００のオン／オフ状態、ユニットの相対位置を検出することができ、例えば、前記ユニットは、装置１５００のディスプレイおよびキーパッドである。センサユニット１５１４は、さらに、装置１５００もしくは装置１５００の１つのユニットの位置変更、ユーザと装置１５００との接触の存在もしくは不存在、装置１５００の方位または加速／減速および装置１５００の温度変化をさらに検出することができる。センサユニット１５１４は、如何なる物理の接触もないとき、近辺にある物体の存在を検出するための近接センサを含んでもよい。センサユニット１５１４は、さらに、イメージングアプリケーションに使用される光センサ、例えばＣＭＯＳまたはＣＣＤ画像センサを含んでもよい。一部の実施例では、当該センサユニット１５１４は、さらに、加速度センサ、ジャイロセンサ、磁気センサ、圧力センサ、マイクロ波センサまたは温度センサを含んでもよい。
【０１５２】
通信ユニット１５１６は、装置１５００と他の機器間の無線または有線方式の通信が便利になるように構成される。装置１５００は、通信規格に基づく無線ネットワーク、例えば、ＷｉＦｉ、２Ｇもしくは３Ｇ、またはそれらの組合せにアクセスすることができる。ある実施例では、通信ユニット１５１６は、外部ブロードキャスト管理システムからのブロードキャスト信号またはブロードキャスト関連情報をブロードキャストチャネルを介して受信する。ある実施例では、前記通信ユニット１５１６は、さらに、短距離通信を容易にするように、ニアフィールド通信（ＮＦＣ）モジュールを含んでもよい。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１５３】
実施例では、装置１５００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１５４】
実施例では、指令を含む非一時のコンピュータ読み取り可能な記憶媒体、例えば、指令を含むメモリ１５０４をさらに提供し、上記指令が装置１５００のプロセッサ１５２０によって実行されることで上述した方法を実施させることができる。例えば、前記非一時のコンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０１５５】
当業者は、明細書を考慮し、ここに公開された開示を実践した後、本開示の他の実施案を容易に想到する。本願は、本開示の如何なる変形、用途または適応の変化もカバーすることを意図する。これらの変形、用途または適応の変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【０１５６】
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。
【図１】
2017527933.tif 000003
【図２】
2017527933.tif 000004
【図３】
2017527933.tif 000005
【図４】
2017527933.tif 000006
【図５】
2017527933.tif 000007
【図６】
2017527933.tif 000008
【図７】
2017527933.tif 000009
【図８】
2017527933.tif 000010
【図９】
2017527933.tif 000011
【図１０】
2017527933.tif 000012
【図１１】
2017527933.tif 000013
【図１２】
2017527933.tif 000014
【図１３】
2017527933.tif 000015
【図１４】
2017527933.tif 000016
【図１５】
2017527933.tif 000017
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
ユーザのフライトと少なくとも１つのユーザの連絡人とを含むフライト設定情報を受信するステップと、
航空サーバで提供される、前記ユーザのフライトに対応するフライト情報をモニタリングするステップと、
前記ユーザのフライトが変更されたことを前記フライト情報が示すとき、前記フライト情報における変更情報に基づいて、前記変更情報を含むフライト変更通知を生成するステップと、
前記フライト変更通知を前記少なくとも１つのユーザの連絡人へ送信するステップと、を含むことを特徴とするフライト通知方法。
【請求項２】
前記フライト設定情報は、プレースホルダーをさらに含み、
前記フライト情報における変更情報に基づいて、フライト変更通知を生成するステップは、前記フライト情報における変更情報に応じて、前記フライト設定情報における前記プレースホルダーに書き込んで前記フライト変更通知を生成するステップを含むことを特徴とする請求項１に記載のフライト通知方法。
【請求項３】
前記ユーザのフライトが変更されたことを前記フライト情報が示すとき、前記フライト情報における変更情報に基づいて、フライト変更通知を生成するステップは、
前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するステップ、または、
前記ユーザのフライトに故障が起きたことを前記フライト情報が示すとき、前記フライト情報における故障情報に基づいて、前記故障情報を含むフライト変更通知を生成するステップ、または、
前記ユーザのフライトが所定の空港以外の空港に降下する必要があることを前記フライト情報が示すとき、前記フライト情報における空港変更情報に基づいて、降下空港名と降下時間とを含むフライト変更通知を生成するステップを含むことを特徴とする請求項１に記載のフライト通知方法。
【請求項４】
前記フライト変更通知を前記少なくとも１つのユーザの連絡人へ送信する方式は、
ＳＭＳの方式で前記フライト変更通知を前記少なくとも１つのユーザの連絡人へ送信する送信方式と、電子メールの方式で前記フライト変更通知を前記少なくとも１つのユーザの連絡人へ送信する送信方式と、インスタントメッセンジャソフトウェアで前記フライト変更通知を前記少なくとも１つのユーザの連絡人へ送信する送信方式と、のうちの少なくとも１つをさらに含むことを特徴とする請求項１に記載のフライト通知方法。
【請求項５】
前記ユーザのフライトが変更されていないことを前記フライト情報が示すとき、前記フライト設定情報を削除するステップをさらに含むことを特徴とする請求項１に記載のフライト通知方法。
【請求項６】
ユーザのフライトと少なくとも１つのユーザの連絡人とを含むフライト設定情報が受信されたか否かを判断するステップと、
ユーザサーバが航空サーバで提供される前記ユーザのフライトに対応するフライト情報をモニタリングするように、前記フライト設定情報が受信されたとき、前記フライト設定情報をユーザサーバへ送信するステップと、を含むことを特徴とするフライト設定方法。
【請求項７】
前記フライト設定情報が受信されたか否かを判断するステップは、
フライト変更通知に対する設定指令が受信されたか否かを判断するステップと、
フライト変更通知に対する設定指令が受信されたとき、前記設定指令に基づいて、少なくとも１つのフライト変更通知テンプレートを取得するステップと、
前記少なくとも１つのフライト変更通知テンプレートのうちの１つのフライト変更通知テンプレートに対する編集指令を受信し、前記編集指令に基づいて、前記フライト設定情報を生成するステップと、を含むことを特徴とする請求項６に記載のフライト設定方法。
【請求項８】
前記フライト変更通知テンプレートは、前記ユーザのフライトに対応するフライト情報が書き込まれるための予約プレースホルダーを含むことを特徴とする請求項７に記載のフライト設定方法。
【請求項９】
前記フライト設定情報をユーザサーバへ送信する方式は、ＳＭＳの方式で前記フライト設定情報をユーザサーバへ送信する送信方式と、電子メールの方式で前記フライト設定情報をユーザサーバへ送信する送信方式と、インスタントメッセンジャソフトウェアで前記フライト設定情報をユーザサーバへ送信する送信方式と、のうちの少なくとも１つを含むことを特徴とする請求項６に記載のフライト設定方法。
【請求項１０】
ユーザのフライトと少なくとも１つのユーザの連絡人とを含むフライト設定情報を受信するための受信モジュールと、
航空サーバで提供される、前記ユーザのフライトに対応するフライト情報をモニタリングするためのモニタリングモジュールと、
前記ユーザのフライトが変更されたことを前記フライト情報が示すとき、前記フライト情報における変更情報に基づいて、前記変更情報を含むフライト変更通知を生成するための変更通知生成モジュールと、
前記フライト変更通知を前記少なくとも１つのユーザの連絡人へ送信するための送信モジュールと、を備えることを特徴とするフライト通知装置。
【請求項１１】
前記フライト設定情報は、プレースホルダーをさらに含み、
前記変更通知生成モジュールは、前記フライト情報における変更情報に応じて、前記フライト設定情報における前記プレースホルダーに書き込んで前記フライト変更通知を生成するための書込サブモジュールを有することを特徴とする請求項１０に記載のフライト通知装置。
【請求項１２】
前記変更通知生成モジュールは、
前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するための第１の変更通知生成サブモジュール、または、
前記ユーザのフライトに故障が起きたことを前記フライト情報が示すとき、前記フライト情報における故障情報に基づいて、前記故障情報を含むフライト変更通知を生成するための第２の変更通知生成サブモジュール、または、
前記ユーザのフライトが所定の空港以外の空港に降下する必要があることを前記フライト情報が示すとき、前記フライト情報における空港変更情報に基づいて、降下空港名と降下時間とを含むフライト変更通知を生成するための第３の変更通知生成サブモジュールを有することを特徴とする請求項１０に記載のフライト通知装置。
【請求項１３】
前記送信モジュールの送信方式は、ＳＭＳの方式で前記フライト変更通知を前記少なくとも１つのユーザの連絡人へ送信する送信方式と、電子メールの方式で向前記フライト変更通知を前記少なくとも１つのユーザの連絡人へ送信する送信方式と、インスタントメッセンジャの方式で前記フライト変更通知を前記少なくとも１つのユーザの連絡人へ送信する送信方式と、のうちの少なくとも１つを含むことを特徴とする請求項１０に記載のフライト通知装置。
【請求項１４】
前記ユーザのフライトが変更されていないことを前記フライト情報が示すとき、前記フライト設定情報を削除するための削除モジュールをさらに備えることを特徴とする請求項１０に記載のフライト通知装置。
【請求項１５】
ユーザのフライトと少なくとも１つのユーザの連絡人とを含むフライト設定情報が受信されたか否かを判断するための判断モジュールと、
ユーザサーバが航空サーバで提供される前記ユーザのフライトに対応するフライト情報をモニタリングするように、前記フライト設定情報が受信されたとき、前記フライト設定情報をユーザサーバへ送信するための送信モジュールと、を備えることを特徴とするフライト設定装置。
【請求項１６】
前記判断モジュールは、
フライト変更通知に対する設定指令が受信されたか否かを判断するための判断サブモジュールと、
フライト変更通知に対する設定指令が受信されたとき、前記設定指令に基づいて、少なくとも１つのフライト変更通知テンプレートを取得するための取得サブモジュールと、
前記少なくとも１つのフライト変更通知テンプレートのうちの１つのフライト変更通知テンプレートに対する編集指令を受信し、前記編集指令に基づいて、前記フライト設定情報を生成するための設定情報生成サブモジュールと、を有することを特徴とする請求項１５に記載のフライト設定装置。
【請求項１７】
前記フライト変更通知テンプレートは、前記ユーザのフライトに対応するフライト情報が書き込まれるための予約プレースホルダーを含むことを特徴とする請求項１６に記載のフライト設定装置。
【請求項１８】
前記送信モジュールの送信方式は、ＳＭＳの方式で前記フライト設定情報をユーザサーバへ送信する送信方式と、電子メールの方式で前記フライト設定情報をユーザサーバへ送信する送信方式と、インスタントメッセンジャの方式で前記フライト設定情報をユーザサーバへ送信する送信方式と、のうちの少なくとも１つを含むことを特徴とする請求項１６に記載のフライト設定装置。
【請求項１９】
プロセッサと、
プロセッサが実行可能な指令を含むメモリと、を備え、
前記プロセッサは、
ユーザのフライトと少なくとも１つのユーザの連絡人とを含むフライト設定情報を受信し、
航空サーバで提供される、前記ユーザのフライトに対応するフライト情報をモニタリングし、
前記ユーザのフライトが変更されたことを前記フライト情報が示すとき、前記フライト情報における変更情報に基づいて、前記変更情報を含むフライト変更通知を生成し、
前記フライト変更通知を前記少なくとも１つのユーザの連絡人へ送信するように構成されることを特徴とするフライト通知装置。
【請求項２０】
プロセッサと、
プロセッサが実行可能な指令を含むメモリと、を備え、
前記プロセッサは、
ユーザのフライトと少なくとも１つのユーザの連絡人とを含むフライト設定情報が受信されたか否かを判断し、
ユーザサーバが航空サーバで提供される前記ユーザのフライトに対応するフライト情報をモニタリングするように、前記フライト設定情報が受信されたとき、前記フライト設定情報をユーザサーバへ送信するように構成されることを特徴とするフライト設定装置。
【請求項２１】
プロセッサに実行されることにより、請求項１から請求項９のいずれか１項に記載の方法を実現することを特徴とするプログラム。
【請求項２２】
請求項２１に記載のプログラムが記録された記録媒体。
【手続補正２】
【補正対象書類名】明細書
【補正対象項目名】全文
【補正方法】変更
【補正の内容】
【発明の詳細な説明】
【相互参照】
【０００１】
本発明は、出願番号が２０１５１０４６３６３９.８であり、出願日が２０１５年０７月３１日である中国特許出願を基に提出するものであり、当該中国特許出願の優先権を主張し、当該中国特許出願の全ての内容は、参照のため本願に援用される。
【技術分野】
【０００２】
本開示は、ネットワーク通信技術分野に関し、特に、フライト通知方法、フライト設定方法、装置、プログラムおよび記録媒体に関する。
【背景技術】
【０００３】
ネットワーク通信技術の継続的な発展に伴って、スマートフォンの応用も広くなっている。しかし、幾つかの特定の場合、例えば、飛行機内にいる場合、スマートフォンをパワーオフする必要があるため、ユーザのフライトが変更されると、ユーザは、ユーザの連絡人、例えば、空港まで迎えに来る人に直ちに知らせることができない。よって、ユーザのフライトが変更されたとき、ユーザの連絡人もユーザのフライトの変更情報を如何に取得できるかは、重要な課題となっている。関連技術では、ユーザの連絡人が、航空会社の開発したソフトウェアによって、ユーザのフライト情報を購読し、または、空港の大画面ディスプレイによってユーザのフライト情報を把握できるが、ユーザのフライトが変更され、且つユーザの連絡人が航空会社の開発したソフトウェアをダウンロードしていないあるいは空港へ大画面ディスプレイを見に行かない場合は、ユーザのフライトの変更情報を直ちに取得することができない。
【発明の概要】
【発明が解決しようとする課題】
【０００４】
本開示は、ユーザのフライトが変更されたとき、ユーザがユーザの連絡人に直ちに知らせることができず、ユーザの連絡人が変更情報を自ら取得せざるを得ないためユーザ体験の満足度が低下するという、従来技術の課題を解決するために、フライト通知方法、フライト設定方法、装置、プログラムおよび記録媒体を提供する。
【課題を解決するための手段】
【０００５】
本開示の実施例の第１の態様によれば、フライト通知方法を提供する。前記方法は、ユーザのフライトと少なくとも１つのユーザの連絡人とを含むフライト設定情報を受信するステップと、航空サーバで提供される、前記ユーザのフライトに対応するフライト情報をモニタリングするステップと、前記ユーザのフライトが変更されたことを前記フライト情報が示すとき、前記フライト情報における変更情報に基づいて、前記変更情報を含むフライト変更通知を生成するステップと、前記フライト変更通知を前記少なくとも１つのユーザの連絡人へ送信するステップと、を含む。
【０００６】
好ましくは、前記フライト設定情報は、プレースホルダーをさらに含み、前記フライト情報における変更情報に基づいて、フライト変更通知を生成するステップは、前記フライト情報における変更情報に応じて、前記フライト設定情報における前記プレースホルダーに書き込んで前記フライト変更通知を生成するステップを含む。
【０００７】
好ましくは、前記ユーザのフライトが変更されたことを前記フライト情報が示すとき、前記フライト情報における変更情報に基づいて、フライト変更通知を生成するステップは、前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するステップ、または、前記ユーザのフライトに故障が起きたことを前記フライト情報が示すとき、前記フライト情報における故障情報に基づいて、前記故障情報を含むフライト変更通知を生成するステップ、または、前記ユーザのフライトが所定の空港以外の空港に降下する必要があることを前記フライト情報が示すとき、前記フライト情報における空港変更情報に基づいて、降下空港名と降下時間とを含むフライト変更通知を生成するステップを含む。
【０００８】
好ましくは、前記航空サーバで提供される、前記ユーザのフライトに対応するフライト情報をモニタリングするステップは、前記フライト設定情報に基づいて、前記航空サーバとの接続を確立するステップと、前記航空サーバで提供される、前記ユーザのフライトに対応するフライト情報をリアルタイムにモニタリングするステップと、を含む。
【０００９】
好ましくは、前記フライト変更通知を前記少なくとも１つのユーザの連絡人へ送信する方式は、ＳＭＳの方式で前記フライト変更通知を前記少なくとも１つのユーザの連絡人へ送信する送信方式と、電子メールの方式で前記フライト変更通知を前記少なくとも１つのユーザの連絡人へ送信する送信方式と、インスタントメッセンジャソフトウェアで前記フライト変更通知を前記少なくとも１つのユーザの連絡人へ送信する送信方式と、のうちの少なくとも１つを含む。
【００１０】
好ましくは、前記方法は、前記ユーザのフライトが変更されていないことを前記フライト情報が示すとき、前記フライト設定情報を削除するステップをさらに含む。
【００１１】
本開示の実施例の第２の態様によれば、フライト設定方法を提供する。前記方法は、ユーザのフライトと少なくとも１つのユーザの連絡人とを含むフライト設定情報が受信されたか否かを判断するステップと、ユーザサーバが航空サーバで提供される前記ユーザのフライトに対応するフライト情報をモニタリングするように、前記フライト設定情報が受信されたとき、前記フライト設定情報をユーザサーバへ送信するステップと、を含む。
【００１２】
好ましくは、前記フライト設定情報が受信されたか否かを判断するステップは、フライト変更通知に対する設定指令が受信されたか否かを判断するステップと、フライト変更通知に対する設定指令が受信されたとき、前記設定指令に基づいて、少なくとも１つのフライト変更通知テンプレートを取得するステップと、前記少なくとも１つのフライト変更通知テンプレートのうちの１つのフライト変更通知テンプレートに対する編集指令を受信し、前記編集指令に基づいて、前記フライト設定情報を生成するステップと、を含む。
【００１３】
好ましくは、前記フライト変更通知テンプレートは、前記ユーザのフライトに対応するフライト情報が書き込まれるための予約プレースホルダーを含む。
【００１４】
好ましくは、前記フライト設定情報をユーザサーバへ送信する方式は、ＳＭＳの方式で前記フライト設定情報をユーザサーバへ送信する送信方式と、電子メールの方式で前記フライト設定情報をユーザサーバへ送信する送信方式と、インスタントメッセンジャソフトウェアで前記フライト設定情報をユーザサーバへ送信する送信方式と、のうちの少なくとも１つを含む。
【００１５】
本開示の実施例の第３の態様によれば、フライト通知装置を提供する。前記装置は、ユーザのフライトと少なくとも１つのユーザの連絡人とを含むフライト設定情報を受信するための受信モジュールと、航空サーバで提供される、前記ユーザのフライトに対応するフライト情報をモニタリングするためのモニタリングモジュールと、前記ユーザのフライトが変更されたことを前記フライト情報が示すとき、前記フライト情報における変更情報に基づいて、前記変更情報を含むフライト変更通知を生成するための変更通知生成モジュールと、前記フライト変更通知を前記少なくとも１つのユーザの連絡人へ送信するための送信モジュールと、を備える。
【００１６】
好ましくは、前記フライト設定情報は、プレースホルダーをさらに含み、前記変更通知生成モジュールは、前記フライト情報における変更情報に応じて、前記フライト設定情報における前記プレースホルダーに書き込んで前記フライト変更通知を生成するための書込サブモジュールを有する。
【００１７】
好ましくは、前記変更通知生成モジュールは、前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するための第１の変更通知生成サブモジュール、または、前記ユーザのフライトに故障が起きたことを前記フライト情報が示すとき、前記フライト情報における故障情報に基づいて、前記故障情報を含むフライト変更通知を生成するための第２の変更通知生成サブモジュール、または、前記ユーザのフライトが所定の空港以外の空港に降下する必要があることを前記フライト情報が示すとき、前記フライト情報における空港変更情報に基づいて、降下空港名と降下時間とを含むフライト変更通知を生成するための第３の変更通知生成サブモジュールを有する。
【００１８】
好ましくは、前記モニタリングモジュールは、前記フライト設定情報に基づいて、前記航空サーバとの接続を確立するための接続サブモジュールと、前記航空サーバで提供される、前記ユーザのフライトに対応するフライト情報をリアルタイムにモニタリングするためのモニタリングサブモジュールと、を有する。
【００１９】
好ましくは、前記送信モジュールは、ＳＭＳの方式で前記少なくとも１つのユーザの連絡人における各ユーザの連絡人へ前記フライト変更通知を送信する送信方式と、電子メールの方式で前記少なくとも１つのユーザの連絡人における各ユーザの連絡人へ前記フライト変更通知を送信する送信方式と、インスタントメッセンジャの方式で前記少なくとも１つのユーザの連絡人における各ユーザの連絡人へ前記フライト変更通知を送信する送信方式と、のうちの少なくとも１つを含む。
【００２０】
好ましくは、前記装置は、前記ユーザのフライトが変更されていないことを前記フライト情報が示すとき、前記フライト設定情報を削除するための削除モジュールをさらに備える。
【００２１】
本開示の実施例の第４の態様によれば、フライト設定装置を提供する。前記装置は、ユーザのフライトと少なくとも１つのユーザの連絡人とを含むフライト設定情報が受信されたか否かを判断するための判断モジュールと、ユーザサーバが航空サーバで提供される前記ユーザのフライトに対応するフライト情報をモニタリングするように、前記フライト設定情報が受信されたとき、前記フライト設定情報をユーザサーバへ送信するための送信モジュールと、を備える。
【００２２】
好ましくは、前記判断モジュールは、フライト変更通知に対する設定指令が受信されたか否かを判断するための判断サブモジュールと、フライト変更通知に対する設定指令が受信されたとき、前記設定指令に基づいて、少なくとも１つのフライト変更通知テンプレートを取得するための取得サブモジュールと、前記少なくとも１つのフライト変更通知テンプレートのうちの１つのフライト変更通知テンプレートに対する編集指令を受信し、前記編集指令に基づいて、前記フライト設定情報を生成するための設定情報生成サブモジュールと、を有する。
【００２３】
好ましくは、前記フライト変更通知テンプレートは、前記ユーザのフライトに対応するフライト情報が書き込まれるための予約プレースホルダーを含む。
【００２４】
好ましくは、前記送信モジュールの送信方式は、ＳＭＳの方式で前記フライト設定情報をユーザサーバへ送信する送信方式と、電子メールの方式で前記フライト設定情報をユーザサーバへ送信する送信方式と、インスタントメッセンジャの方式で前記フライト設定情報をユーザサーバへ送信する送信方式と、のうちの少なくとも１つを含む。
【００２５】
本開示の実施例の第５の態様によれば、フライト通知装置を提供する。前記装置は、プロセッサと、プロセッサが実行可能な指令を含むメモリと、を備え、前記プロセッサは、ユーザのフライトと少なくとも１つのユーザの連絡人とを含むフライト設定情報を受信し、航空サーバで提供される、前記ユーザのフライトに対応するフライト情報をモニタリングし、前記ユーザのフライトが変更されたことを前記フライト情報が示すとき、前記フライト情報における変更情報に基づいて、前記変更情報を含むフライト変更通知を生成し、前記フライト変更通知を前記少なくとも１つのユーザの連絡人へ送信するように構成される。
【００２６】
本開示の実施例の第６の態様によれば、フライト設定装置を提供する。前記装置は、プロセッサと、プロセッサが実行可能な指令を含むメモリと、を備え、前記プロセッサは、ユーザのフライトと少なくとも１つのユーザの連絡人とを含むフライト設定情報が受信されたか否かを判断し、ユーザサーバが航空サーバで提供される前記ユーザのフライトに対応するフライト情報をモニタリングするように、前記フライト設定情報が受信されたとき、前記フライト設定情報をユーザサーバへ送信するように構成される。
【００２７】
本開示の実施例の第７の態様によれば、プロセッサに実行されることにより、本開示の実施例の第１または第２の態様に記載の方法を実現するプログラムを提供する。
【００２８】
本開示の実施例の第８の態様によれば、本開示の実施例の第７の態様に記載のプログラムが記録された記録媒体を提供する。
【発明の効果】
【００２９】
本開示の実施例による技術案は、以下の格別な作用効果を含むことができる。
【００３０】
本開示によれば、ユーザのフライトと少なくとも１つのユーザの連絡人とを含むユーザサーバフライト設定情報を受信し、航空サーバで提供される、ユーザのフライトに対応するフライト情報をモニタリングし、フライト情報が、ユーザのフライトが変更されたことを示すとき、フライト情報における変更情報に基づいて、変更情報を含むフライト変更通知を生成し、前記少なくとも１つのユーザの連絡人へフライト変更通知を送信することで、ユーザのフライトが変更されたとき、ユーザの連絡人へフライト変更通知を自発的に送信することができ、ユーザ体験が向上する。
【００３１】
ある実施例では、本開示によれば、ユーザ端末がパワーオフする場合、ユーザサーバが航空サーバとの接続により、ユーザのフライトに対応するフライト情報を自動でモニタリングすることができ、ユーザ体験が向上する。
【００３２】
ある実施例では、本開示によれば、フライト情報が、ユーザのフライトに何れかの異常があることを示すとき、ユーザサーバで生成されるフライト変更通知に当該異常に対応する情報が含まれることで、ユーザの連絡人が当該フライト変更通知を取得したとき、ユーザのフライトにどんな異常があるかを直ちに知ることができ、ユーザの連絡人の体験が向上する。
【００３３】
ある実施例では、本開示によれば、ユーザサーバがユーザの連絡人へフライト変更通知を送信することは、１つまたは複数の通信方式を用いることができる。これによって、ユーザの連絡人がフライト変更通知を受信できることを確保し、フライト変更通知における変更情報を直ちに知り、ユーザの連絡人の体験が向上する。
【００３４】
ある実施例では、本開示によれば、ユーザサーバは航空サーバで提供される、フライト情報をモニタリングするとき、期限が切れたフライト設定情報を削除することができ、これによって、リソースの利用率が向上する。
【００３５】
ある実施例では、本開示によれば、ユーザ端末はフライト設定情報が受信されたか否かを判断し、フライト設定情報が受信されたとき、フライト設定情報をユーザサーバへ送信して、ユーザサーバは、航空サーバで提供される、ユーザのフライトに対応するフライト情報をモニタリングすることができる。これによって、ユーザ端末がパワーオフする場合、ユーザサーバは、端末機器から送信されたフライト設定情報に基づいて、航空サーバで提供される、ユーザのフライトに対応するフライト情報をモニタリングすることができ、かつ、ユーザのフライトが変更されたとき、フライト変更通知を生成し、ユーザの連絡人へフライト変更通知を自発的に送信することができ、さらに、ユーザ体験が向上する。
【００３６】
ある実施例では、本開示によれば、ユーザ端末がフライト変更通知テンプレートを提供することができ、これによって、ユーザがフライト設定情報を設定する効率が向上し、さらに、ユーザ体験が向上する。
【００３７】
ある実施例では、本開示によれば、ユーザ端末がフライト設定情報をユーザサーバへ送信することは、１つまたは複数の通信方式を用いることができ、これによって、ユーザサーバがフライト設定情報を受信できることを確保する。
【００３８】
上述した一般的な記述および後続の詳細な記述は、単に例示的および解釈的なものであり、本発明を制限できるものでないと理解されるべきである。
【図面の簡単な説明】
【００３９】
ここでの図面は、明細書を構成する一部として見なされ、本開示に適した実施例を示し、かつ、明細書の文字記載とともに本開示の仕組みを解釈するために用いられる。
【図１】本開示のある実施例によるフライト通知方法を示すフローチャートである。
【図２】本開示のある実施例による別のフライト通知方法を示すフローチャートである。
【図３】本開示のある実施例による別のフライト通知方法を示すフローチャートである。
【図４】本開示のある実施例によるフライト設定方法を示すフローチャートである。
【図５】本開示のある実施例による別のフライト設定方法を示すフローチャートである。
【図６】本開示のある実施例による別のフライト設定方法におけるフライト変更通知テンプレートを示す模式図である。
【図７】本開示のある実施例によるフライト通知装置を示すブロック図である。
【図８】本開示のある実施例による別のフライト通知装置を示すブロック図である。
【図９】本開示のある実施例による別のフライト通知装置を示すブロック図である。
【図１０】本開示のある実施例による別のフライト通知装置を示すブロック図である。
【図１１】本開示のある実施例による別のフライト通知装置を示すブロック図である。
【図１２】本開示のある実施例によるフライト設定装置を示すブロック図である。
【図１３】本開示のある実施例による別のフライト設定装置を示すブロック図である。
【図１４】本開示のある実施例によるフライト通知装置のための構造模式図である。
【図１５】本開示のある実施例によるフライト設定装置のための構造模式図である。
【発明を実施するための形態】
【００４０】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の側面と一致する装置および方法の例に過ぎない。
【００４１】
本開示に記載の用語は、特定の実施例を説明する目的で使用されるものに過ぎず、本開示を限定するものではない。本開示及び添付する特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００４２】
また、本開示は、第１、第２、第３などの用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称してもよい。同じように、第２の情報を第１の情報と称してもよい。ここで使っている用語「……場合」は、文脈の意味によって、「……時」または「……と」又は「確定に応じる」に解釈されてもよい。
【００４３】
図１に示すように、図１は、本開示のある実施例によるフライト通知方法を示すフローチャートである。当該方法は、ユーザサーバに用いることができ、以下のステップを含む。
【００４４】
ステップ１１０では、ユーザのフライトと少なくとも１つのユーザの連絡人とを含むフライト設定情報を受信する。
【００４５】
本開示の実施例では、フライト設定情報は、ユーザが設定するものであり、ユーザのフライトは、ユーザ端末の属するユーザが乗るフライトであってもよいし、他のユーザが乗るフライトであってもよい。ある実施例では、フライト設定情報は、システムからテンプレートを提供されて、ユーザが当該テンプレートを編集して得られるものであってもよく、または、編集しないものである。例示的には、システムが提供するテンプレートは、複数であってもよいし、１つであってもよい。ユーザは、複数のテンプレートから１つのテンプレートを選択し、当該テンプレートを対応的に編集し、または、編集しないで当該フライト設定情報を取得してもよい。ユーザの連絡人は、１つであってもよいし、複数であってもよく、空港まで迎えに行く普通の人であってもよいし、親戚または友達であってもよい。ここでのユーザの連絡人とは、ユーザの連絡人の連絡方式、例えば、電話番号、メール名、ＱＱ番号、ウィーチャット番号などのものである。
【００４６】
また、フライト設定情報は、ユーザのフライトと少なくとも１つのユーザの連絡人とを含むだけではなく、さらに、ユーザ定義される情報を含んでもよい。
【００４７】
例えば、ユーザ定義される情報は、「小明です。フライトが変更されましたので、だいたい＿に到着します。心配しないでください」である。ただし、「＿」はプレースホルダーであり、かつ、当該ユーザ定義される情報に変更時間のプレースホルダーを予約する目的は、ユーザサーバが変更時間を取得した後、変更時間をプレースホルダーに対応する位置に書き込むことである。
【００４８】
ステップ１２０では、航空サーバで提供される、ユーザのフライトに対応するフライト情報をモニタリングする。
【００４９】
本開示の実施例では、ユーザサーバと航空サーバとは、同一サーバではない可能性があり、航空サーバは、就航ダイヤのフライト情報、例えば、フライト番号、出発時間、到達時間または変更後の出発時間、到達時間を提供する。
【００５０】
ユーザサーバは、ユーザ端末から送信されたフライト設定情報を受信した後、当該フライト設定情報におけるユーザのフライトに基づいて、航空サーバで提供される、当該ユーザのフライトに対応するフライト情報をモニタリングし、その目的は、ユーザのフライトが変更されたか否かを判断することである。
【００５１】
ステップ１３０では、ユーザのフライトに対応するフライト情報が、当該ユーザのフライトが変更されたことを示すとき、当該ユーザのフライトに対応するフライト情報における変更情報に基づいて、変更情報を含むフライト変更通知を生成する。
【００５２】
本開示の実施例では、ユーザのフライトに対応するフライト情報は、飛行機が遅れ、または、飛行機に故障があり、または、飛行機が天気によって所定の空港以外の空港で降下する必要があるといったことである場合、当該ユーザのフライトが変更されたことを示す必要があり、かつ、生成されるフライト変更通知には、変更情報が含まれる。
【００５３】
１つの例として、飛行機が遅れる場合、変更情報は飛行機が遅れた後の到達時間などを含んでもよい。
【００５４】
もう１つの例として、飛行機が天気によって所定の空港以外の空港で降下する必要がある場合、変更情報は、降下空港名、降下時間などを含んでもよい。
【００５５】
ステップ１４０では、少なくとも１つのユーザの連絡人へフライト変更通知を送信する。
【００５６】
本開示の実施例では、ユーザのフライトに対応するフライト情報が、当該ユーザのフライトが変更されたことを示すとき、ユーザサーバがフライト変更通知を自発的に各ユーザの連絡人へ送信して、各ユーザの連絡人が変更情報に基づいて時間の手配を合理にする。
【００５７】
上記実施例から分かるように、ユーザのフライトと少なくとも１つのユーザの連絡人とを含むフライト設定情報を受信し、航空サーバで提供される、ユーザのフライトに対応するフライト情報をモニタリングし、フライト情報が、ユーザのフライトが変更されたことを示すとき、フライト情報における変更情報に基づいて、変更情報を含むフライト変更通知を生成し、少なくとも１つのユーザの連絡人へフライト変更通知を送信することで、ユーザのフライトが変更されたとき、ユーザの連絡人へフライト変更通知を自発的に送信することができるため、ユーザ体験が向上する。
【００５８】
ある開示実施例では、ステップ１２０において、航空サーバで提供される、ユーザのフライトに対応するフライト情報をモニタリングすることを実行する際に、図２に示すように、以下のステップを含んでもよい。
【００５９】
ステップ２１０では、フライト設定情報に基づいて、航空サーバとの接続を確立する。
【００６０】
本開示の実施例では、ユーザサーバと航空サーバとは、同一サーバではない可能性があり、航空サーバは、就航ダイヤのフライト情報、例えば、フライト番号、出発時間、到達時間または変更後の到達時間を提供する。フライトサーバで提供されるフライト情報をモニタリングするには、航空サーバとの接続を確立する必要がある。
【００６１】
ステップ２２０では、航空サーバで提供される、ユーザのフライトに対応するフライト情報をリアルタイムにモニタリングする。
【００６２】
本開示の実施例では、航空サーバで提供される、当該ユーザのフライトに対応するフライト情報をリアルタイムにモニタリングする目的は、ユーザのフライトが変更されたか否かを判断することであり、変更した場合、フライト変更通知を生成する必要があり、変更していない場合、フライト変更通知を生成する必要がない。
【００６３】
上記実施例から分かるように、ユーザサーバは、航空サーバとの接続によって、ユーザのフライトに対応するフライト情報を自発的にモニタリングすることができ、ユーザ体験が向上する。
【００６４】
別の開示実施例では、ステップ１３０において、フライト情報が前記ユーザのフライトが変更されたことを示すとき、フライト情報における変更情報に基づいて、フライト変更通知を生成することを実行する際に、図３に示すように、以下のステップを含んでもよい。
【００６５】
ステップ３１０では、フライト情報が、ユーザのフライトの到達時間が所定の到達時間を過ぎたことを示すとき、ユーザのフライトの到達時間に基づいて、ユーザのフライトが変更された到達時間を含むフライト変更通知を生成する。
【００６６】
ステップ３２０では、フライト情報が、ユーザのフライトに故障が起きたことを示すとき、フライト情報における故障情報に基づいて、故障情報を含むフライト変更通知を生成する。
【００６７】
ステップ３３０では、フライト情報が、ユーザのフライトが所定の空港以外の空港に降下する必要があることを示すとき、フライト情報における需要情報に基づいて、降下空港名と降下時間とを含むフライト変更通知を生成する。
【００６８】
上記ステップ３１０、ステップ３２０及びステップ３３０は、前後順番を限定しておらず、同時に発生してもよいし、しなくてもよい。
【００６９】
例えば、若し、飛行機に故障があり、所定の空港以外の空港に降下する必要があり、かつ、当該空港に到達する時間が所定の空港に到達する所定の到達時間を遥かに超える場合、フライト変更通知は、例えば、故障情報、降下空港名及び降下時間などを含んでもよい。
【００７０】
もう１つの例として、若し、飛行機に故障があり、かつ、到達時間が所定の到達時間を遥かに超える場合、フライト変更通知は、例えば、故障情報、ユーザのフライト変更後の到達時間などを含んでもよい。
【００７１】
上記実施例から分かるように、フライト情報が、ユーザのフライトに何れかの異常があることを示すとき、生成されるフライト変更通知には、当該異常に対応する情報が含まれることで、ユーザの端末がパワーオフ状態にあり、ユーザの連絡人に直ちに通知することが不便で、または、ユーザの連絡人に直ちに通知することができなくても、ユーザの連絡人は、ユーザのフライトにどんな変更または異常があるかを直ちに知ることができ、ユーザの連絡人の体験が向上する。
【００７２】
別の開示実施例では、受信されたフライト設定情報にはさらにプレースホルダーを含んでもよいため、ステップ１３０において、フライト情報における変更情報に基づいて、フライト変更通知を生成することを実行する際に、さらに以下の方式を採用してもよい。
【００７３】
モニタリングされたフライト情報における変更情報に基づいて、フライト設定情報におけるプレースホルダーに書き込み、フライト変更通知を生成する。
【００７４】
別の開示実施例では、ステップ１４０において、少なくとも１つのユーザの連絡人における各ユーザの連絡人へフライト変更通知を送信することを実行する際に、以下の送信方式のうちの少なくとも１つを含んでもよい。
【００７５】
方式一としては、ＳＭＳの方式で少なくとも１つのユーザの連絡人における各ユーザの連絡人へフライト変更通知を送信する。
【００７６】
方式二としては、電子メールの方式で少なくとも１つのユーザの連絡人における各ユーザの連絡人へフライト変更通知を送信する。
【００７７】
方式三としては、インスタントメッセンジャの方式で少なくとも１つのユーザの連絡人における各ユーザの連絡人へフライト変更通知を送信する。
【００７８】
インスタントメッセンジャの方式は、ウィーチャット、ＱＱ、ＭｉＴａｌｋなどの多種の方式であってもよい。
【００７９】
上記実施例から分かるように、ユーザサーバがユーザの連絡人へフライト変更通知を送信することは、１つまたは複数の通信方式を用いることができ、これによって、ユーザの連絡人がフライト変更通知を受信し、かつ、フライト変更通知における変更情報を直ちに知ることができ、ユーザの連絡人の体験が向上する。
【００８０】
別の開示実施例では、ステップ１２０において、航空サーバで提供される、ユーザのフライトに対応するフライト情報をモニタリングすることを実行した後、フライト情報が、ユーザのフライトが変更されていないことを示すとき、フライト設定情報を削除するステップをさらに含む。
【００８１】
例えば、ユーザのフライトが定刻に到達する場合、ユーザが設定したフライト設定情報をユーザの連絡人へ送信することなく、削除してもよい。
【００８２】
上記実施例から分かるように、ユーザサーバが航空サーバで提供される、フライト情報をモニタリングするとき、期限が切れたフライト設定情報を削除することができ、これによって、リソースの利用率が向上する。
【００８３】
本開示では、これを限定しない。ある実施例では、ユーザは、フライト情報が変更されたときに送信すべきフライト変更通知、および、フライト情報が変更されていないときのフライト通知をそれぞれ設定してもよい。フライト情報が変更されたとき、ユーザサーバがフライト変更通知を各ユーザの連絡人へ自発的に送信し、各ユーザの連絡人がユーザのフライト変更状况を直ちに把握し、ユーザ体験が向上する。フライト情報が変更されていないとき、ユーザサーバは、フライト通知を各ユーザの連絡人へ自発的に送信してもよく、ユーザ体験が向上する。
【００８４】
図４に示すように、図４は、本開示のある実施例によるフライト設定方法を示すフローチャートである。当該方法は、ユーザ端末に用いることができる。ユーザ端末は、各種のスマートフォン、タブレットＰＣ、ＰＣ（ＰｅｒｓｏｎａｌＣｏｍｐｕｔｅｒ、パーソナルコンピュータ）などを含んでもよい。
【００８５】
当該方法は、以下のステップを含んでもよい。
【００８６】
ステップ４１０では、ユーザのフライトと少なくとも１つのユーザの連絡人とを含むフライト設定情報が受信されたか否かを判断する。
【００８７】
本開示の実施例では、フライト設定情報は、ユーザが設定するものであり、ユーザのフライトは、ユーザ端末の属するユーザが乗るフライトであってもよいし、他のユーザが乗るフライトであってもよい。ユーザの連絡人は、１つであってもよいし、複数であってもよく、空港まで迎えに行く普通の人であってもよいし、親戚または友達であってもよい。ここでのユーザの連絡人とは、ユーザの連絡人の連絡方式、例えば、電話番号、メール名、ＱＱ番号などのものである。
【００８８】
また、フライト設定情報は、ユーザのフライトと少なくとも１つのユーザの連絡人とを含むだけではなく、さらに、ユーザ定義される情報を含んでもよい。
【００８９】
例えば、ユーザ定義される情報は、「小明です。フライトが変更されましたので、だいたい＿に到着します。心配しないでください」である。ただし、「＿」はプレースホルダーであり、かつ、当該ユーザ定義される情報に変更時間のプレースホルダーを予約する目的は、ユーザサーバが変更時間を取得した後、変更時間をプレースホルダーに対応する位置に書き込むことである。
【００９０】
ステップ４２０では、ユーザサーバが航空サーバで提供される、ユーザのフライトに対応するフライト情報をモニタリングするように、フライト設定情報が受信されたとき、フライト設定情報をユーザサーバに送信する。
【００９１】
上記実施例から分かるように、フライト設定情報が受信されたか否かを判断し、フライト設定情報が受信されたとき、フライト設定情報をユーザサーバへ送信して、ユーザサーバは、航空サーバで提供される、ユーザのフライトに対応するフライト情報をモニタリングすることができる。これによって、ユーザサーバは、端末機器から送信されたフライト設定情報に基づいて、航空サーバで提供される、ユーザのフライトに対応するフライト情報をモニタリングすることができ、かつ、ユーザのフライトが変更されたとき、フライト変更通知を生成し、ユーザの連絡人へフライト変更通知を自発的に送信することができ、さらに、ユーザ体験が向上する。
【００９２】
ある好ましい方式では、ステップ４１０において、フライト設定情報が受信されたか否かを判断することを実行する際に、図５に示すように、以下のステップを含んでもよい。
【００９３】
ステップ５１０では、フライト変更通知に対する設定指令が受信されたか否かを判断する。
【００９４】
ステップ５２０では、フライト変更通知に対する設定指令が受信されたとき、当該設定指令に基づいて、少なくとも１つのフライト変更通知テンプレートを取得する。
【００９５】
ステップ５３０では、少なくとも１つのフライト変更通知テンプレートのうちの１つのフライト変更通知テンプレートに対する編集指令を受信し、当該編集指令に基づいて、フライト設定情報を生成する。
【００９６】
上記フライト変更通知テンプレートは、前記ユーザのフライトに対応するフライト情報が書き込まれるための予約プレースホルダーを含む。
【００９７】
例えば、図６にはフライト変更通知テンプレートが示されており、当該フライト変更通知テンプレートは予約プレースホルダーを含む。図６に示すように、「小明です。フライトが変更されましたので、だいたい＿に到着します。心配しないでください」である。「＿」はプレースホルダーであり、かつ、当該プレースホルダーを予約する目的は、ユーザサーバが変更時間を取得した後、変更時間をプレースホルダーに対応する位置に書き込むことである。
【００９８】
ユーザは、携帯電話ＳＭＳにおいてフライト変更設定機能を探索し、それから、現在では乗るフライトを選択し、さらに、変更するときに迎えに来る人または家族友達の連絡方式を設定し、カスタマイズを完成した後、当該フライト設定情報をサーバに提出することができる。
【００９９】
上記実施例から分かるように、ユーザ端末がフライト変更通知テンプレートを提供することができ、これによって、ユーザがフライト設定情報を設定する効率が向上し、さらに、ユーザ体験が向上する。
【０１００】
別の好ましい方式では、ステップ４２０において、フライト設定情報をユーザサーバへ送信することを実行する際に、以下の送信方式のうちの少なくとも１つを含んでもよい。
【０１０１】
方式一としては、ＳＭＳの方式でフライト設定情報をユーザサーバへ送信する。
【０１０２】
方式二としては、電子メールの方式でフライト設定情報をユーザサーバへ送信する。
【０１０３】
方式三としては、インスタントメッセンジャソフトウェアでフライト設定情報をユーザサーバへ送信する。
【０１０４】
インスタントメッセンジャソフトウェアは、ウィーチャット、ＱＱ、ＭｉＴａｌｋなどを含んでもよい。
【０１０５】
上記実施例から分かるように、フライト設定情報をユーザサーバへ送信することは、１つまたは複数の通信方式を用いることができ、これによって、ユーザサーバがフライト設定情報を受信できることを確保する。
【０１０６】
前記フライト通知方法実施例及びフライト設定方法実施例と対応的に、本開示は、フライト通知装置の実施例及びフライト設定装置の実施例をさらに提供する。
【０１０７】
図７に示すように、図７は、本開示のある実施例によるフライト通知装置を示すブロック図である。前記装置はユーザサーバに用いられ、かつ、図１に示すフライト通知方法を実行する。前記装置は、受信モジュール７１とモニタリングモジュール７２と変更通知生成モジュール７３と送信モジュール７４とを備える。
【０１０８】
受信モジュール７１は、ユーザのフライトと少なくとも１つのユーザの連絡人とを含むフライト設定情報を受信するように構成される。
【０１０９】
モニタリングモジュール７２は、航空サーバで提供される、前記ユーザのフライトに対応するフライト情報をモニタリングするように構成される。
【０１１０】
変更通知生成モジュール７３は、前記ユーザのフライトが変更されたことを前記フライト情報が示すとき、前記フライト情報における変更情報に基づいて、前記変更情報を含むフライト変更通知を生成するように構成される。
【０１１１】
送信モジュール７４は、前記フライト変更通知を前記少なくとも１つのユーザの連絡人へ送信するように構成される。
【０１１２】
上記実施例から分かるように、ユーザのフライトと少なくとも１つのユーザの連絡人とを含むフライト設定情報を受信し、航空サーバで提供される、ユーザのフライトに対応するフライト情報をモニタリングし、フライト情報が、ユーザのフライトが変更されたことを示すとき、フライト情報における変更情報に基づいて、変更情報を含むフライト変更通知を生成し、少なくとも１つのユーザの連絡人へフライト変更通知を送信することで、ユーザのフライトが変更されたとき、ユーザの連絡人へフライト変更通知を自発的に送信することができるため、ユーザ体験が向上する。
【０１１３】
図８は、本開示のある実施例による別のフライト通知装置を示すブロック図である。当該実施例では、前記図７に示す実施例を基に、前記フライト設定情報は、プレースホルダーをさらに含んでも良く、前記変更通知生成モジュール７３は、書込サブモジュール８１を含んでもよい。
【０１１４】
書込サブモジュール８１は、前記フライト情報における変更情報に応じて、前記フライト設定情報における前記プレースホルダーに書き込んで前記フライト変更通知を生成するように構成される。
【０１１５】
図９に示すように、図９は、本開示のある実施例による別のフライト通知装置を示すブロック図である。当該実施例では、前記図７に示す実施例を基に、前記変更通知生成モジュール７３は、第１の変更通知生成サブモジュール９１、または、第２の変更通知生成サブモジュール９２、または、第３の変更通知生成サブモジュール９３を含んでもよい。
【０１１６】
第１の変更通知生成サブモジュール９１は、前記ユーザのフライトの到達時間が所定の到達時間を過ぎたことを前記フライト情報が示すとき、前記ユーザのフライトの到達時間に基づいて、前記ユーザのフライトが変更された到達時間を含むフライト変更通知を生成するように構成され、または、
第２の変更通知生成サブモジュール９２は、前記ユーザのフライトに故障が起きたことを前記フライト情報が示すとき、前記フライト情報における故障情報に基づいて、前記故障情報を含むフライト変更通知を生成するように構成され、または、
第３の変更通知生成サブモジュール９３は、前記ユーザのフライトが所定の空港以外の空港に降下する必要があることを前記フライト情報が示すとき、前記フライト情報における空港変更情報に基づいて、降下空港名と降下時間とを含むフライト変更通知を生成するように構成される。
【０１１７】
上記実施例から分かるように、フライト情報が、ユーザのフライトに何れかの異常があることを示すとき、生成されるフライト変更通知には、当該異常に対応する情報が含まれることで、ユーザの連絡人が当該フライト変更通知を取得したとき、ユーザのフライトにどんな異常があるかを直ちに知ることができ、ユーザの連絡人の体験が向上する。
【０１１８】
図１０に示すように、図１０は、本開示の実施例による別のフライト通知装置を示すブロック図である。当該実施例では、前記図７に示す実施例を基に、前記モニタリング手段７２は、接続サブモジュール１０１とモニタリングサブ手段１０２とを含んでもよい。
【０１１９】
接続サブモジュール１０１は、前記フライト設定情報に基づいて、前記航空サーバとの接続を確立するように構成される。
【０１２０】
モニタリングサブ手段１０２は、前記航空サーバで提供される、前記ユーザのフライトに対応するフライト情報をリアルタイムにモニタリングするように構成される。
【０１２１】
上記実施例から分かるように、ユーザ端末がパワーオフする場合、ユーザサーバが航空サーバとの接続により、ユーザのフライトに対応するフライト情報を自動でモニタリングすることができ、ユーザ体験が向上する。
【０１２２】
別の開示実施例では、前記送信モジュール７４は、ＳＭＳの方式で前記少なくとも１つのユーザの連絡人における各ユーザの連絡人へ前記フライト変更通知を送信する送信方式と、電子メールの方式で前記少なくとも１つのユーザの連絡人における各ユーザの連絡人へ前記フライト変更通知を送信する送信方式と、インスタントメッセンジャの方式で前記少なくとも１つのユーザの連絡人における各ユーザの連絡人へ前記フライト変更通知を送信する送信方式のうちの少なくとも１つを含んでもよい。
【０１２３】
上記実施例から分かるように、各ユーザの連絡人へフライト変更通知を送信することは、１つまたは複数の通信方式を用いることができ、これによって、ユーザの連絡人がフライト変更通知を受信できることを確保し、フライト変更通知における変更情報を直ちに知り、ユーザの連絡人の体験が向上する。
【０１２４】
図１１に示すように、図１１は、本開示のある実施例によるフライト通知装置を示すブロック図である。当該実施例では、前記図７に示す実施例を基に、前記装置は削除モジュール１１１をさらに含む。
【０１２５】
削除モジュール１１１は、前記ユーザのフライトが変更されていないことを前記フライト情報が示すとき、前記フライト設定情報を削除するように構成される。
【０１２６】
上記実施例から分かるように、ユーザサーバは航空サーバで提供される、フライト情報をモニタリングするとき、期限が切れたフライト設定情報を削除することができ、これによって、リソースの利用率が向上する。
【０１２７】
図１２に示すように、図１２は、本開示の実施例によるフライト設定装置を示すブロック図である。当該実施例は、ユーザ端末に配置されるべきであり、前記装置は、判断モジュール１２１と送信モジュール１２２とを有してもよい。
【０１２８】
判断モジュール１２１は、ユーザのフライトと少なくとも１つのユーザの連絡人とを含むフライト設定情報が受信されたか否かを判断するように構成される。
【０１２９】
送信モジュール１２２は、ユーザサーバが航空サーバで提供される前記ユーザのフライトに対応するフライト情報をモニタリングするように、前記フライト設定情報が受信されたとき、前記フライト設定情報をユーザサーバへ送信するように構成される。
【０１３０】
上記実施例から分かるように、フライト設定情報が受信されたか否かを判断し、ユーザサーバが航空サーバで提供される前記ユーザのフライトに対応するフライト情報をモニタリングするように、前記フライト設定情報が受信されたとき、前記フライト設定情報をユーザサーバへ送信することで、ユーザ端末がパワーオフする場合、ユーザサーバは、端末機器から送信されたフライト設定情報に基づいて、航空サーバで提供される、ユーザのフライトに対応するフライト情報をモニタリングすることができ、かつ、ユーザのフライトが変更されたとき、フライト変更通知を生成し、ユーザの連絡人へフライト変更通知を自発的に送信することができ、さらに、ユーザ体験が向上する。
【０１３１】
図１３に示すように、図１３は、本開示のある実施例による別のフライト変更設定装置を示すブロック図である。当該実施例では、前記図１２に示す実施例を基に、前記判断モジュール１２１は、判断サブモジュール１３１と取得サブモジュール１３２と設定情報生成サブモジュール１３３とを有する。
【０１３２】
判断サブモジュール１３１は、フライト変更通知に対する設定指令が受信されたか否かを判断するように構成される。
【０１３３】
取得サブモジュール１３２は、フライト変更通知に対する設定指令が受信されたとき、前記設定指令に基づいて、少なくとも１つのフライト変更通知テンプレートを取得するように構成される。
【０１３４】
設定情報生成サブモジュール１３３は、前記少なくとも１つのフライト変更通知テンプレートのうちの１つのフライト変更通知テンプレートに対する編集指令を受信し、前記編集指令に基づいて、前記フライト設定情報を生成するように構成される。
【０１３５】
フライト変更通知テンプレートは、前記ユーザのフライトに対応するフライト情報が書き込まれるための予約プレースホルダーを含む。
【０１３６】
上記実施例から分かるように、ユーザ端末がフライト変更通知テンプレートを提供することができ、これによって、ユーザがフライト設定情報を設定する効率が向上し、さらに、ユーザ体験が向上する。
【０１３７】
好ましくは、前記送信モジュール１２２の送信方式は、ＳＭＳの方式で前記フライト設定情報をユーザサーバへ送信する送信方式と、電子メールの方式で前記フライト設定情報をユーザサーバへ送信する送信方式と、インスタントメッセンジャの方式で前記フライト設定情報をユーザサーバへ送信する送信方式とのうちの少なくとも１つを採用してもよい。
【０１３８】
上記実施例から分かるように、フライト設定情報をユーザサーバへ送信することは、１つまたは複数の通信方式を用いることができ、これによって、ユーザサーバがフライト設定情報を受信できることを確保する。
【０１３９】
図７と対応的に、本開示は、別のフライト通知装置をさらに提供する。前記装置は、ユーザサーバに用いられ、プロセッサと、プロセッサが実行可能な指令を含むメモリと、を備え、前記プロセッサは、ユーザのフライトと少なくとも１つのユーザの連絡人とを含むフライト設定情報を受信し、航空サーバで提供される、前記ユーザのフライトに対応するフライト情報をモニタリングし、前記ユーザのフライトが変更されたことを前記フライト情報が示すとき、前記フライト情報における変更情報に基づいて、前記変更情報を含むフライト変更通知を生成し、前記フライト変更通知を前記少なくとも１つのユーザの連絡人へ送信するように構成される。
【０１４０】
図１１と対応的に、本開示は、別のフライト設定装置をさらに提供する。前記装置は、ユーザ端末に用いられ、プロセッサと、プロセッサが実行可能な指令を含むメモリと、を備え、前記プロセッサは、ユーザのフライトと少なくとも１つのユーザの連絡人とを含むフライト設定情報が受信されたか否かを判断し、ユーザサーバが航空サーバで提供される、前記ユーザのフライトに対応するフライト情報をモニタリングするように、前記フライト設定情報が受信されたとき、前記フライト設定情報をユーザサーバへ送信するように構成される。
【０１４１】
上記装置における各手段の機能および作用の実現手順の詳細は、上記方法における対応するステップの実現手順を参照すればよいため、ここで繰り返し説明しない。
【０１４２】
装置実施例が基本的に方法実施例に対応するため、関連箇所は、方法実施例部分の説明を参照すればよい。以上に記載の装置実施例は、単なる模式的である。その中の分離部品として説明された手段は、物理的に離間してもよいし、しなくてもよい。手段として表示された部品は、物理手段であってもよいし、でなくてもよい。即ち、１箇所に位置してもよいし、複数のネットワークセルに分散してもよい。実際の必要に応じて、その中の一部または全部のモジュールを選択して本開示の目的を達成してもよい。当業者は、進歩性に値する労働をせずに、理解し実施可能である。
【０１４３】
図１４に示すように、図１４は、ある実施例によるフライト通知装置１９００のための構造模式図（ユーザサーバ側）である。例えば、装置１９００は、処理ユニット１９２２を備え、さらに、１つまたは複数のプロセッサと、処理ユニット１９２２が実行可能な指令、例えばアプリケーションプログラムを記憶するためのメモリ１９３２に代表されるメモリリソースと、を備える。メモリ１９３２に記憶されているアプリケーションプログラムは、それぞれ１セットの指令に対応する１つ以上のモジュールを有してもよい。また、処理ユニット１９２２は、指令を実行するために、指令を実行するように構成される。
【０１４４】
装置１９００は、さらに、装置１９００の電源管理を実行するように構成される電源ユニット１９２６と、装置１９００をネットワークに接続するように構成される有線または無線ネットワークインターフェース１９５０と、入力/出力（Ｉ/Ｏ）インターフェース１９５８と、を備えてもよい。装置１９００は、メモリ１９３２に記憶されている操作システム、例えばＷｉｎｄｏｗｓ（登録商標）ＳｅｒｖｅｒＴＭ、Ｍａｃ ＯＳ ＸＴＭ、ＵｎｉｘＴＭ、 Ｌｉｎｕｘ（登録商標）ＴＭ、ＦｒｅｅＢＳＤＴＭまたは類似するものを操作してもよい。
【０１４５】
図１５に示すように、図１５は、本開示のある実施例によるフライト設定装置１５００のため一構造模式図（ユーザ端末側）である。例えば、装置１５００は、ルーティング機能を有する移動電話、コンピュータ、デジタル放送端末、メッセージ送受信機器、ゲームコンソール、タブレットデバイス、医療設備、フィットネス機器、ＰＤＡなどであってもよい。
【０１４６】
図１５を参照すると、装置１５００は、以下の１つ又は複数のユニット、すなわち、処理ユニット１５０２、メモリ１５０４、電源ユニット１５０６、マルチメディアユニット１５０８、オーディオユニット１５１０、入力／出力（Ｉ／Ｏ）インターフェース１５１２、センサユニット１５１４及び通信ユニット１５１６を備えてもよい。
【０１４７】
処理ユニット１５０２は通常、装置１５００の全般操作、例えば、表示、電話発呼、データ通信、カメラ操作及び記録操作に関連する操作を制御する。処理ユニット１５０２は、前記方法のステップの全部又は一部を実行するように、指令を実行する１つ又は複数のプロセッサ１５２０を備えてもよい。また、処理ユニット１５０２は、処理ユニット１５０２と他のユニットとの間の相互作用を容易にするように、１つ又は複数のモジュールを備えてもよい。例えば、処理ユニット１５０２は、マルチメディアユニット１５０８と処理ユニット１５０２との間の相互作用を容易にするように、マルチメディアモジュールを備えてもよい。
【０１４８】
メモリ１５０４は、装置１５００での操作をサポートするために、各種別のデータを記憶するように構成される。これらのデータの例示は、装置１５００で操作する如何なるアプリケーションプログラムまたは方法の指令、連絡人データ、電話帳データ、メッセージ、ピクチャ、映像などを含む。メモリ１５０４は、如何なる種別の揮発性もしくは不揮発性記憶デバイスまたはそれらの組合せ、例えば、静のランダムアクセスメモリ（ＳＲＡＭ）、電気のに消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【０１４９】
電源ユニット１５０６は、装置１５００のユニットのそれぞれに電力を供給する。電源ユニット１５０６は、電源管理システム、１つまたは複数の電源、並びに、装置１５００用の電力を生成、管理および配分するに関する他のユニットを含んでもよい。
【０１５０】
マルチメディアユニット１５０８は、前記装置１５００とユーザとの間に１つの出力インターフェースを供給するスクリーンを備える。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット１５０８は、１つのフロントカメラおよび／またはバックカメラを含む。装置１５００が操作モード、例えば、撮像モードまたは映像モードにあるとき、フロントカメラおよび／またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１５１】
オーディオユニット１５１０は、オーディオ信号を出力および／または入力するように構成される。例えば、オーディオユニット１５１０は、マイク（ＭＩＣ）を備え、装置１５００が操作モード、例えば、発呼モード、記録モードおよび音声識別モードにあるとき、マイクは、外部オーディオ信号を受信するように構成される。受信されたオーディオ信号は、さらに、メモリ１５０４に記憶される、または、通信ユニット１５１６を介して送信されることができる。一部の実施例では、オーディオユニット１５１０は、さらに、オーディオ信号を出力するためのスピーカをさらに含む。
【０１５２】
Ｉ／Ｏインターフェース１５１２は、処理ユニット１５０２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでもよいが、それらに限定されない。
【０１５３】
センサユニット１５１４は、様々な側面での状態推定を装置１５００に供給するための１つまたは複数のセンサを含む。例えば、センサユニット１５１４は、装置１５００のオン／オフ状態、ユニットの相対位置を検出することができ、例えば、前記ユニットは、装置１５００のディスプレイおよびキーパッドである。センサユニット１５１４は、さらに、装置１５００もしくは装置１５００の１つのユニットの位置変更、ユーザと装置１５００との接触の存在もしくは不存在、装置１５００の方位または加速／減速および装置１５００の温度変化をさらに検出することができる。センサユニット１５１４は、如何なる物理の接触もないとき、近辺にある物体の存在を検出するための近接センサを含んでもよい。センサユニット１５１４は、さらに、イメージングアプリケーションに使用される光センサ、例えばＣＭＯＳまたはＣＣＤ画像センサを含んでもよい。一部の実施例では、当該センサユニット１５１４は、さらに、加速度センサ、ジャイロセンサ、磁気センサ、圧力センサ、マイクロ波センサまたは温度センサを含んでもよい。
【０１５４】
通信ユニット１５１６は、装置１５００と他の機器間の無線または有線方式の通信が便利になるように構成される。装置１５００は、通信規格に基づく無線ネットワーク、例えば、ＷｉＦｉ、２Ｇもしくは３Ｇ、またはそれらの組合せにアクセスすることができる。ある実施例では、通信ユニット１５１６は、外部ブロードキャスト管理システムからのブロードキャスト信号またはブロードキャスト関連情報をブロードキャストチャネルを介して受信する。ある実施例では、前記通信ユニット１５１６は、さらに、短距離通信を容易にするように、ニアフィールド通信（ＮＦＣ）モジュールを含んでもよい。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１５５】
実施例では、装置１５００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１５６】
実施例では、指令を含む非一時のコンピュータ読み取り可能な記憶媒体、例えば、指令を含むメモリ１５０４をさらに提供し、上記指令が装置１５００のプロセッサ１５２０によって実行されることで上述した方法を実施させることができる。例えば、前記非一時のコンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０１５７】
当業者は、明細書を考慮し、ここに公開された開示を実践した後、本開示の他の実施案を容易に想到する。本願は、本開示の如何なる変形、用途または適応の変化もカバーすることを意図する。これらの変形、用途または適応の変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【０１５８】
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。
【国際調査報告】
2017527933.tif 000018
2017527933.tif 000019
2017527933.tif 000020
2017527933.tif 000021